(57)【要約】  本実施形態に係る通信制御方法は、自セルであるオフ対象セルをオフしようとするオフ対象基地局と、前記オフ対象セルを補完するためのセル拡張を行うべき拡張対象基地局と、を有する移動通信システムにおいて用いられる。当該通信制御方法は、前記オフ対象基地局が、前記オフ対象セルを運用する際に用いられ前記オフ対象基地局が保持するリスト情報を前記セル拡張が行われる前に前記拡張対象基地局に送信するステップと、前記拡張対象基地局が、前記リスト情報に基づいて、カバレッジが拡張された拡張対象セルを運用する運用ステップと、を備える。
2015080080.tif 000002
【特許請求の範囲】
【請求項１】
自セルであるオフ対象セルをオフしようとするオフ対象基地局と、前記オフ対象セルを補完するためのセル拡張を行うべき拡張対象基地局と、を有する移動通信システムにおいて用いられる通信制御方法であって、
前記オフ対象基地局が、前記オフ対象セルを運用する際に用いられ前記オフ対象基地局が保持するリスト情報を、前記セル拡張が行われる前に前記拡張対象基地局に送信するステップと、
前記拡張対象基地局が、前記リスト情報に基づいて、カバレッジが拡張された拡張対象セルを運用する運用ステップと、を備えることを特徴とする通信制御方法。
【請求項２】
前記リスト情報は、前記オフ対象基地局により前記オフ対象セルのカバレッジ内にてブロードキャスト又はユニキャストされていたリストを示す情報であり、
前記運用ステップは、前記拡張対象基地局が、前記拡張対象セルのカバレッジ内にて前記リスト情報をブロードキャスト又はユニキャストするステップを含むことを特徴とする請求項１に記載の通信制御方法。
【請求項３】
前記拡張対象基地局が、前記運用ステップを終了した後、前記リスト情報を削除する又は前記リスト情報を前記オフ対象基地局に戻すステップをさらに備えることを特徴とする請求項１に記載の通信制御方法。
【請求項４】
前記運用ステップは、前記拡張対象基地局が、前記リスト情報を更新するステップを含み、
前記通信制御方法は、前記拡張対象基地局が、前記運用ステップが終了した後、次のセル拡張のために更新した前記リスト情報を保持するステップをさらに備えることを特徴とする請求項１に記載の通信制御方法。
【請求項５】
前記リスト情報は、前記オフ対象セル内に存在し、位置が固定された固定ノードに関するリストを示す情報であることを特徴とする請求項１に記載の通信制御方法。
【請求項６】
前記運用ステップは、
前記拡張対象基地局が、前記リスト情報に登録されている固定ノードが前記拡張対象セルのカバレッジ内に存在するか否かを確認するステップと、
前記拡張対象基地局が、前記リスト情報に登録され、且つ、前記拡張対象セルのカバレッジ内に存在しない固定ノードの情報を削除するステップと、を含むことを特徴とする請求項５に記載の通信制御方法。
【請求項７】
前記固定ノードは、無線ＬＡＮアクセスポイント、又は、Ｄ２Ｄ近傍サービスを用いて情報を送信する固定型のユーザ端末であることを特徴とする請求項５に記載の通信制御方法。
【請求項８】
前記固定ノードは、移動が制限された固定型のユーザ端末であり、
前記通信制御方法は、
前記オフ対象基地局が、固定型のユーザ端末か否かを判定可能な情報を含む能力情報を、前記オフ対象セルに在圏するユーザ端末から受信するステップと、
前記オフ対象基地局が、前記ユーザ端末から受信した前記能力情報に基づいて、前記ユーザ端末が前記固定型のユーザ端末であるか否かを判定する判定ステップと、
前記オフ対象基地局が、前記判定ステップの判定結果に基づいて、前記固定型のユーザ端末に関するリストを更新するステップと、をさらに備えることを特徴とする請求項５に記載の通信制御方法。
【請求項９】
前記オフ対象基地局が、前記オフ対象セルがオフされるまで前記オフ対象セルに在圏し続け、且つ、前記オフ対象セルのオフ状態が終了した際に前記オフ対象セルにハンドオーバした回数が閾値を超えたユーザ端末を、移動が制限された固定型のユーザ端末であると判定する判定ステップと、
前記オフ対象基地局が、前記判定ステップの判定結果に基づいて、前記固定型のユーザ端末に関するリストを更新するステップと、をさらに備えることを特徴とする請求項５に記載の通信制御方法。
【請求項１０】
前記拡張対象基地局が、前記拡張対象セルが拡張している間に前記拡張対象セルに在圏し続け、且つ、前記拡張対象セルを拡張した際に前記拡張対象セルにハンドオーバした回数が閾値を超えたユーザ端末を、移動が制限された固定型のユーザ端末であると判定する判定ステップをさらに備え、
前記運用ステップにおいて、前記拡張対象基地局が、前記判定ステップの判定結果に基づいて、前記固定型のユーザ端末に関するリストを更新することを特徴とする請求項５に記載の通信制御方法。
【請求項１１】
前記オフ対象基地局が、前記オフ対象セルに在圏するユーザ端末に関するユーザ情報を前記セル拡張が行われる前に送信するステップと、
前記拡張対象基地局が、前記ユーザ情報に基づいて、前記セル拡張が行われた後に用いられる拡張対象セル用リソースを前記ユーザ端末のために確保する確保ステップと、をさらに備えることを特徴とする請求項１に記載の通信制御方法。
【請求項１２】
前記ユーザ端末が、前記オフ対象セルがオフされる前に前記拡張対象セル用リソースを受信するステップと、
前記ユーザ端末が、前記拡張対象セルが拡張した後で、且つ、前記拡張対象セルに在圏している間、前記拡張対象セル用リソースを用いて動作する動作ステップと、をさらに備えることを特徴とする請求項１１に記載の通信制御方法。
【請求項１３】
前記拡張対象セル用リソースは、前記拡張対象セルのカバレッジ内で前記ユーザ端末を識別するために用いられる一時識別子であり、
前記動作ステップにおいて、前記ユーザ端末は、前記拡張対象セルが拡張した後、前記拡張対象セルに在圏した場合、前記拡張対象セルに接続するためのランダムアクセス手続きを省略して、前記一時識別子を用いて動作することを特徴とする請求項１２に記載の通信制御方法。
【請求項１４】
前記拡張対象セル用リソースは、Ｄ２Ｄ近傍サービスにおける相手端末の発見処理に用いられる発見情報であり、
前記動作ステップにおいて、前記ユーザ端末は、前記拡張対象セルが拡張した後、前記拡張対象セルに在圏した場合、前記拡張対象セルに接続せずに、前記発見情報に基づいて、前記発見処理を開始することを特徴とする請求項１２に記載の通信制御方法。
【請求項１５】
前記ユーザ端末が、前記オフ対象セルがオフされる前に前記オフ対象基地局から割り当てられたオフ対象セル用リソースと、前記拡張対象セル用リソースとを対応付けて記憶するステップと、
前記ユーザ端末が、前記拡張対象セルの拡張が終了した後に前記オフ対象セルに再び在圏した場合、前記オフ対象セル用リソースを用いて動作するステップと、をさらに備えることを特徴とする請求項１２に記載の通信制御方法。
【請求項１６】
前記拡張対象セル用リソースは、前記オフ対象セルがオフされる前に前記オフ対象基地局から前記ユーザ端末に割り当てられたオフ対象セル用リソースと共通のリソースであることを特徴とする請求項１１に記載の通信制御方法。
【請求項１７】
前記オフ対象基地局と前記拡張対象基地局とが、前記オフ対象基地局から前記ユーザ端末に割り当てられるオフ対象セル用リソースと、前記拡張対象セル用リソースとが重複しないように、前記オフ対象セル用リソースを割り当て可能な範囲と前記拡張対象セル用リソースを割り当て可能な範囲とを、前記確保ステップの前に予め分けておくステップをさらに備えることを特徴とする請求項１１に記載の通信制御方法。
【請求項１８】
前記オフ対象基地局と前記拡張対象基地局との少なくとも一方が、前記オフ対象セル用リソースを割り当て可能な範囲と前記拡張対象セル用リソースを割り当て可能な範囲との少なくとも一方を示す情報をネットワークから受信するステップをさらに備えることを特徴とする請求項１７に記載の通信制御方法。
【請求項１９】
前記ユーザ端末は、移動が制限された固定型のユーザ端末であることを特徴とする請求項１１に記載の通信制御方法。
【請求項２０】
前記オフ対象基地局が、前記オフ対象基地局を制御する移動管理エンティティに制御される基地局、又は、前記オフ対象基地局と同一のトラッキングエリアに属する基地局を、前記拡張対象基地局として選択するステップをさらに備えることを特徴とする請求項１に記載の通信制御方法。
【請求項２１】
自セルであるオフ対象セルをオフしようとするオフ対象基地局と、前記オフ対象セルを補完するためのセル拡張を行うべき拡張対象基地局と、を有する移動通信システムにおいて用いられ、前記オフ対象基地局に該当する基地局であって、
前記オフ対象基地局が、前記オフ対象セルを運用する際に用いられ、なお且つ前記オフ対象基地局が保持するリスト情報を、前記セル拡張が行われる前に前記拡張対象基地局に送信する送信部を備え、
前記リスト情報は、前記拡張対象基地局により、カバレッジが拡張された拡張対象セルを運用する際に用いられることを特徴とする基地局。
【請求項２２】
自セルであるオフ対象セルをオフしようとするオフ対象基地局と、前記オフ対象セルを補完するためのセル拡張を行うべき拡張対象基地局と、を有する移動通信システムにおいて用いられ、前記拡張対象基地局に該当する基地局であって、
前記オフ対象セルを運用する際に用いられ、なお且つ前記オフ対象基地局が保持するリスト情報を、前記セル拡張が行われる前に前記オフ対象基地局から受信する受信部と、
前記リスト情報に基づいて、カバレッジが拡張された拡張対象セルを運用する制御部と、を備えることを特徴とする基地局。
【発明の詳細な説明】
【技術分野】
【０００１】
本発明は、移動通信システムにおいて用いられる通信制御方法及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、ネットワークの消費電力を削減する省電力（エナジーセービング）技術が導入されている（例えば、非特許文献１参照）。例えば、通信トラフィックの少ない夜間などにおいて、基地局が管理しているセルをオフ（Ｄｅａｃｔｉｖａｔｅ）する。【０００３】
また、３ＧＰＰでは、リリース１２以降において、改良されたエナジーセービング技術が導入される予定である。例えば、一のセルをオフする場合に、近隣セルの送信電力を上昇させる。これにより、当該近隣セルのカバレッジを拡張（セル拡張）し、オフされるセルのカバレッジを補完（エリア補完）することができる。
【先行技術文献】
【非特許文献】
【０００４】
【非特許文献１】３ＧＰＰ技術報告書  「ＴＲ  ３６．９２７  Ｖ１１．０．０」      ２０１２年９月
【発明の概要】
【０００５】
拡張したセルを運用する基地局は、エリア補完した範囲を新たに管理し始めることになるため、エリア補完した範囲の状況が分からない。したがって、当該基地局は、カバレッジを拡張したセルを適切に運用できず、ネットワーク効率が低下する虞がある。
【０００６】
そこで、本発明は、エナジーセービング技術を導入した場合において、ネットワーク効率の低下を抑制可能な通信制御方法及び基地局を提供することを目的とする。
【課題を解決するための手段】
【０００７】
一実施形態に係る通信制御方法は、自セルであるオフ対象セルをオフしようとするオフ対象基地局と、前記オフ対象セルを補完するためのセル拡張を行うべき拡張対象基地局と、を有する移動通信システムにおいて用いられる。当該通信制御方法は、前記オフ対象基地局が、前記オフ対象セルを運用する際に用いられ前記オフ対象基地局が保持するリスト情報を前記セル拡張が行われる前に前記拡張対象基地局に送信するステップと、前記拡張対象基地局が、前記リスト情報に基づいて、カバレッジが拡張された拡張対象セルを運用する運用ステップと、を備える。
【図面の簡単な説明】
【０００８】
【図１】図１は、ＬＴＥシステムの構成図である。
【図２】図２は、ＵＥのブロック図である。
【図３】図３は、ｅＮＢのブロック図である。
【図４】図４は、ＬＴＥシステムにおける無線インターフェイスのプロトコルスタック図である。
【図５】図５は、ＬＴＥシステムで使用される無線フレームの構成図である。
【図６】図６は、セルラ通信におけるデータパスを示す図である。
【図７】図７は、Ｄ２Ｄ通信におけるデータパスを示す図である。
【図８】図８は、本実施形態に係る固定ＵＥリストから削除する動作を説明するためのシーケンス図である。
【図９】図９は、本実施形態に係る固定ＵＥリストから削除する動作を説明するためのフローチャートである。
【図１０】図１０は、第１実施形態に係る移動通信システムの動作環境を説明するための説明図である。
【図１１】図１１は、第１実施形態に係るエナジーセービングの開始時における動作を説明するためのシーケンス図である。
【図１２】図１２は、第１実施形態に係るエナジーセービングの終了時における動作を説明するためのフローチャートである。
【図１３】図１３は、本実施形態の変更例に係る動作を説明するための説明図である。
【図１４】図１４は、第２実施形態に係るｅＮＢ２００の動作を説明するためのシーケンス（その１）である。
【図１５】図１５は、第２実施形態に係るｅＮＢ２００の動作を説明するためのシーケンス（その２）である。
【図１６】図１６は、第２実施形態に係るＵＥ１０１の動作を説明するための説明図である。
【図１７】図１７は、第２実施形態に係るＵＥ１０１の動作を説明するための説明図である。
【図１８】図１８は、第２実施形態に係るＵＥ１０１の動作を説明するためのシーケンス図である。
【図１９】図１９は、第２実施形態に係るＵＥ１０１の動作を説明するためのシーケンス図である。
【発明を実施するための形態】
【０００９】
［実施形態の概要］
実施形態に係る通信制御方法は、自セルであるオフ対象セルをオフしようとするオフ対象基地局と、前記オフ対象セルを補完するためのセル拡張を行うべき拡張対象基地局と、を有する移動通信システムにおいて用いられる。当該通信制御方法は、前記オフ対象基地局が、前記オフ対象セルを運用する際に用いられ前記オフ対象基地局が保持するリスト情報を、前記セル拡張が行われる前に前記拡張対象基地局に送信するステップと、前記拡張対象基地局が、前記リスト情報に基づいて、カバレッジが拡張された拡張対象セルを運用する運用ステップと、を備える。
【００１０】
実施形態において、前記リスト情報は、前記オフ対象基地局により前記オフ対象セルのカバレッジ内にてブロードキャスト又はユニキャストされていたリストを示す情報であり、前記運用ステップは、前記拡張対象基地局が、前記拡張対象セルのカバレッジ内にて前記リスト情報をブロードキャスト又はユニキャストするステップを含む。
【００１１】
実施形態に係る通信制御方法は、前記拡張対象基地局が、前記運用ステップを終了した後、前記リスト情報を削除する又は前記リスト情報を前記オフ対象基地局に戻すステップをさらに備える。
【００１２】
実施形態において、前記運用ステップは、前記拡張対象基地局が、前記リスト情報を更新するステップを含む。当該通信制御方法は、前記拡張対象基地局が、前記運用ステップが終了した後、次のセル拡張のために更新した前記リスト情報を保持するステップをさらに備える。
【００１３】
実施形態において、前記リスト情報は、前記オフ対象セル内に存在し、位置が固定された固定ノードに関するリストを示す情報である。
【００１４】
実施形態において、前記運用ステップは、前記拡張対象基地局が、前記リスト情報に登録されている固定ノードが前記拡張対象セルのカバレッジ内に存在するか否かを確認するステップと、前記拡張対象基地局が、前記リスト情報に登録され、且つ、前記拡張対象セルのカバレッジ内に存在しない固定ノードの情報を削除するステップと、を含む。
【００１５】
実施形態において、前記固定ノードは、無線ＬＡＮアクセスポイント、又は、Ｄ２Ｄ近傍サービス（直接的な端末間通信であるＤ２Ｄ通信）を用いて情報を送信する固定型のユーザ端末である。
【００１６】
実施形態において、前記固定ノードは、移動が制限された固定型のユーザ端末である。当該通信制御方法は、前記オフ対象基地局が、固定型のユーザ端末か否かを判定可能な情報を含む能力情報を、前記オフ対象セルに在圏するユーザ端末から受信するステップと、前記オフ対象基地局が、前記ユーザ端末から受信した前記能力情報に基づいて、前記ユーザ端末が前記固定型のユーザ端末であるか否かを判定する判定ステップと、前記オフ対象基地局が、前記判定ステップの判定結果に基づいて、前記固定型のユーザ端末に関するリストを更新するステップと、をさらに備える。
【００１７】
実施形態に係る通信制御方法は、前記オフ対象基地局が、前記オフ対象セルがオフされるまで前記オフ対象セルに在圏し続け、且つ、前記オフ対象セルのオフ状態が終了した際に前記オフ対象セルにハンドオーバした回数が閾値を超えたユーザ端末を、移動が制限された固定型のユーザ端末であると判定する判定ステップと、前記オフ対象基地局が、前記判定ステップの判定結果に基づいて、前記固定型のユーザ端末に関するリストを更新するステップと、をさらに備える。
【００１８】
実施形態に係る通信制御方法は、前記拡張対象基地局が、前記拡張対象セルが拡張している間に前記拡張対象セルに在圏し続け、且つ、前記拡張対象セルを拡張した際に前記拡張対象セルにハンドオーバした回数が閾値を超えたユーザ端末を、移動が制限された固定型のユーザ端末であると判定する判定ステップをさらに備える。前記運用ステップにおいて、前記拡張対象基地局が、前記判定ステップの判定結果に基づいて、前記固定型のユーザ端末に関するリストを更新する。
【００１９】
実施形態に係る通信制御方法は、前記オフ対象基地局が、前記オフ対象セルに在圏するユーザ端末に関するユーザ情報を前記セル拡張が行われる前に送信するステップと、前記拡張対象基地局が、前記ユーザ情報に基づいて、前記セル拡張が行われた後に用いられる拡張対象セル用リソースを前記ユーザ端末のために確保する確保ステップと、をさらに備える。
【００２０】
実施形態に係る通信制御方法は、前記ユーザ端末が、前記オフ対象セルがオフされる前に前記拡張対象セル用リソースを受信するステップと、前記ユーザ端末が、前記拡張対象セルが拡張した後で、且つ、前記拡張対象セルに在圏している間、前記拡張対象セル用リソースを用いて動作する動作ステップと、をさらに備える。
【００２１】
実施形態において、前記拡張対象セル用リソースは、前記拡張対象セルのカバレッジ内で前記ユーザ端末を識別するために用いられる一時識別子であり、前記動作ステップにおいて、前記ユーザ端末は、前記拡張対象セルが拡張した後、前記拡張対象セルに在圏した場合、前記拡張対象セルに接続するためのランダムアクセス手続きを省略して、前記一時識別子を用いて動作する。
【００２２】
実施形態において、前記拡張対象セル用リソースは、Ｄ２Ｄ近傍サービス（直接的な端末間通信であるＤ２Ｄ通信）における相手端末の発見処理に用いられる発見情報であり、前記動作ステップにおいて、前記ユーザ端末は、前記拡張対象セルが拡張した後、前記拡張対象セルに在圏した場合、前記拡張対象セルに接続せずに、前記発見情報に基づいて、前記発見処理を開始する。
【００２３】
実施形態に係る通信制御方法は、前記ユーザ端末が、前記オフ対象セルがオフされる前に前記オフ対象基地局から割り当てられたオフ対象セル用リソースと、前記拡張対象セル用リソースとを対応付けて記憶するステップと、前記ユーザ端末が、前記拡張対象セルの拡張が終了した後に前記オフ対象セルに再び在圏した場合、前記オフ対象セル用リソースを用いて動作するステップと、をさらに備える。
【００２４】
実施形態において、前記拡張対象セル用リソースは、前記オフ対象セルがオフされる前に前記オフ対象基地局から前記ユーザ端末に割り当てられたオフ対象セル用リソースと共通のリソースである。
【００２５】
実施形態に係る通信制御方法は、前記オフ対象基地局と前記拡張対象基地局とが、前記オフ対象基地局から前記ユーザ端末に割り当てられるオフ対象セル用リソースと、前記拡張対象セル用リソースとが重複しないように、前記オフ対象セル用リソースを割り当て可能な範囲と前記拡張対象セル用リソースを割り当て可能な範囲とを、前記確保ステップの前に予め分けておくステップをさらに備える。
【００２６】
実施形態に係る通信制御方法は、前記オフ対象基地局と前記拡張対象基地局との少なくとも一方が、前記オフ対象セル用リソースを割り当て可能な範囲と前記拡張対象セル用リソースを割り当て可能な範囲との少なくとも一方を示す情報をネットワークから受信するステップをさらに備える。
【００２７】
実施形態において、前記ユーザ端末は、移動が制限された固定型のユーザ端末である。
【００２８】
実施形態に係る通信制御方法は、前記オフ対象基地局が、前記オフ対象基地局を制御する移動管理エンティティに制御される基地局、又は、前記オフ対象基地局と同一のトラッキングエリアに属する基地局を、前記拡張対象基地局として選択するステップをさらに備える。
【００２９】
実施形態に係る基地局は、自セルであるオフ対象セルをオフしようとするオフ対象基地局と、前記オフ対象セルを補完するためのセル拡張を行うべき拡張対象基地局と、を有する移動通信システムにおいて用いられ、前記オフ対象基地局に該当する。当該基地局は、前記オフ対象基地局が、前記オフ対象セルを運用する際に用いられ、なお且つ前記オフ対象基地局が保持するリスト情報を、前記セル拡張が行われる前に前記拡張対象基地局に送信する送信部を備える。前記リスト情報は、前記拡張対象基地局により、カバレッジが拡張された拡張対象セルを運用する際に用いられる。
【００３０】
実施形態に係る基地局は、自セルであるオフ対象セルをオフしようとするオフ対象基地局と、前記オフ対象セルを補完するためのセル拡張を行うべき拡張対象基地局と、を有する移動通信システムにおいて用いられ、前記拡張対象基地局に該当する。当該基地局は、前記オフ対象セルを運用する際に用いられ、なお且つ前記オフ対象基地局が保持するリスト情報を、前記セル拡張が行われる前に前記オフ対象基地局から受信する受信部と、前記リスト情報に基づいて、カバレッジが拡張された拡張対象セルを運用する制御部と、を備える。
【００３１】
［第１実施形態］
（ＬＴＥシステム）
図１は、本実施形態に係るＬＴＥシステムの構成図である。
【００３２】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０及びＥＰＣ２０は、ネットワークを構成する。
【００３３】
ＵＥ１００は、移動型の無線通信装置であり、接続を確立したセル（サービングセル）との無線通信を行う。ＵＥ１００はユーザ端末に相当する。
【００３４】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを管理しており、セルとの接続を確立したＵＥ１００との無線通信を行う。
【００３５】
なお、「セル」は、無線通信エリアの最小単位を示す用語として使用される他に、ＵＥ１００との無線通信を行う機能を示す用語としても使用される。
【００３６】
ｅＮＢ２００は、例えば、無線リソース管理（ＲＲＭ）機能と、ユーザデータのルーティング機能と、モビリティ制御及びスケジューリングのための測定制御機能と、を有する。
【００３７】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ４００（Ｏｐｅｒａｔｉｏｎ  ａｎｄ  Ｍａｉｎｔｅｎａｎｃｅ）と）を含む。また、ＥＰＣ２０は、コアネットワークに相当する。
【００３８】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３９】
ＯＡＭ４００は、オペレータによって管理されるサーバ装置であり、Ｅ−ＵＴＲＡＮ１０の保守及び監視を行う。
【００４０】
次に、ＵＥ１００及びｅＮＢ２００の構成を説明する。
【００４１】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００４２】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００４３】
アンテナ１０１及び無線送受信機１１０は、無線信号の送受信に用いられる。アンテナ１０１は、複数のアンテナ素子を含む。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００４４】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００４５】
ＧＮＳＳ受信機１３０は、ＵＥ１００の地理的な位置を示す位置情報を得るために、ＧＮＳＳ信号を受信して、受信した信号をプロセッサ１６０に出力する。
【００４６】
バッテリ１４０は、ＵＥ１００の各ブロックに供給すべき電力を蓄える。
【００４７】
メモリ１５０は、プロセッサ１６０によって実行されるプログラムと、プロセッサ１６０による処理に使用される情報と、を記憶する。
【００４８】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４９】
図３は、ｅＮＢ２００のブロック図である。図３に示すように、ｅＮＢ２００（後述するＭｅＮＢ２００Ａ、ＰｅＮＢ２００Ｂ及びＰｅＮＢ２００Ｂを含む）は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。なお、メモリ２３０をプロセッサ２４０と一体化し、このセット（すなわち、チップセット）をプロセッサ２４０’としてもよい。
【００５０】
アンテナ２０１及び無線送受信機２１０は、無線信号の送受信に用いられる。アンテナ２０１は、複数のアンテナ素子を含む。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００５１】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００５２】
メモリ２３０は、プロセッサ２４０によって実行されるプログラムと、プロセッサ２４０による処理に使用される情報と、を記憶する。
【００５３】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００５４】
図４は、ＬＴＥシステムにおける無線インターフェイスのプロトコルスタック図である。
【００５５】
図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉｕｍ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００５６】
物理レイヤは、符号化・復号、変調・復調、アンテナマッピング・デマッピング、及びリソースマッピング・デマッピングを行う。物理レイヤは、物理チャネルを用いて上位レイヤに伝送サービスを提供する。ＵＥ１００の物理レイヤとｅＮＢ２００の物理レイヤとの間では、物理チャネルを介してデータが伝送される。
【００５７】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割り当てリソースブロックを決定するＭＡＣスケジューラを含む。
【００５８】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００５９】
ＰＤＣＰレイヤは、ヘッダ圧縮・伸張、及び暗号化・復号化を行う。
【００６０】
ＲＲＣレイヤは、制御プレーンでのみ定義される。ＵＥ１００のＲＲＣレイヤとｅＮＢ２００のＲＲＣレイヤとの間では、各種設定のための制御信号（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態であり、そうでない場合、ＵＥ１００はアイドル状態である。
【００６１】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００６２】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ使用される。
【００６３】
図５に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される無線リソース単位はリソースエレメント（ＲＥ）と称される。
【００６４】
ＵＥ１００に割り当てられる無線リソースのうち、周波数リソースはリソースブロックにより特定でき、時間リソースはサブフレーム（又はスロット）により特定できる。
【００６５】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。さらに、各サブフレームには、セル固有参照信号（ＣＲＳ）が分散して配置される。
【００６６】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。さらに、各サブフレームには、復調参照信号（ＤＭＲＳ）及びサウンディング参照信号（ＳＲＳ）が配置される。
【００６７】
（Ｄ２Ｄ通信）
次に、ＬＴＥシステムの通常の通信（セルラ通信）とＤ２Ｄ通信とを比較して説明する。
【００６８】
図６は、セルラ通信におけるデータパスを示す図である。ここでは、ｅＮＢ２００−１との接続を確立したＵＥ１００−１と、ｅＮＢ２００−２との接続を確立したＵＥ１００−２と、の間でセルラ通信を行う場合を例示している。なお、データパスとは、ユーザデータ（ユーザプレーン）の転送経路を意味する。
【００６９】
図６に示すように、セルラ通信のデータパスはネットワークを経由する。詳細には、ｅＮＢ２００−１、Ｓ−ＧＷ３００、及びｅＮＢ２００−２を経由するデータパスが設定される。
【００７０】
図７は、Ｄ２Ｄ通信におけるデータパスを示す図である。ここでは、ｅＮＢ２００−１との接続を確立したＵＥ１００−１と、ｅＮＢ２００−２との接続を確立したＵＥ１００−２と、の間でＤ２Ｄ通信を行う場合を例示している。
【００７１】
図７に示すように、Ｄ２Ｄ通信のデータパスはネットワークを経由しない。すなわち、ＵＥ間で直接的な無線通信を行う。このように、ＵＥ１００−１の近傍にＵＥ１００−２が存在するのであれば、ＵＥ１００−１とＵＥ１００−２との間でＤ２Ｄ通信を行うことによって、ネットワークのトラフィック負荷及びＵＥ１００のバッテリ消費量を削減するなどの効果が得られる。
【００７２】
なお、Ｄ２Ｄ通信が開始されるケースとして、（ａ）相手端末を発見するための動作を行うことによって相手端末を発見した後に、Ｄ２Ｄ通信が開始されるケースと、（ｂ）相手端末を発見するための動作を行わずにＤ２Ｄ通信が開始されるケースがある。
【００７３】
例えば、上記（ａ）のケースでは、ＵＥ１００−１及びＵＥ１００−２のうち一方のＵＥ１００が、近傍に存在する他方のＵＥ１００を発見することで、Ｄ２Ｄ通信が開始される。
【００７４】
このケースの場合、ＵＥ１００は、相手端末（近傍端末）を発見するために、自身の近傍に存在する他のＵＥ１００を発見する（Ｄｉｓｃｏｖｅｒ）機能、及び／又は、他のＵＥ１００から発見される(Ｄｉｓｃｏｖｅｒａｂｌｅ)機能を有する。
【００７５】
具体的には、ＵＥ１００−１は、相手端末を発見するため又は相手端末に発見されるために用いられる発見信号（Ｄｉｓｃｏｖｅｒｙ信号／Ｄｉｓｃｏｖｅｒａｂｌｅ信号）を送信する。発見信号を受信したＵＥ１００−２は、ＵＥ１００−１を発見する。ＵＥ１００−２は、発見信号に対する応答を送信することで、発見信号を送信したＵＥ１００−１は、相手端末であるＵＥ１００−１を発見する。
【００７６】
なお、ＵＥ１００は、相手端末を発見しても必ずしもＤ２Ｄ通信を行う必要はなく、例えば、ＵＥ１００−１及びＵＥ１００−２は、互いに相手を発見した後に、ネゴシエーションを行って、Ｄ２Ｄ通信を行うか否かを判定してもよい。ＵＥ１００−１及びＵＥ１００−２のそれぞれは、Ｄ２Ｄ通信を行うことに同意した場合に、Ｄ２Ｄ通信を開始する。なお、ＵＥ１００−１は、相手端末を発見した後にＤ２Ｄ通信を行わなかった場合、上位レイヤ（例えば、アプリケーションなど）に近傍のＵＥ１００（すなわち、ＵＥ１００−２）の発見を報告してもよい。例えば、アプリケーションは、当該報告に基づく処理（例えば、ＵＥ１００−２の位置を地図情報にプロットする処理など）を実行できる。
【００７７】
また、ＵＥ１００は、相手端末を発見したことをｅＮＢ２００に報告し、相手端末との通信をセルラ通信によって行うかＤ２Ｄ通信によって行うかの指示をｅＮＢ２００から受けることも可能である。
【００７８】
一方、上記（ｂ）のケースでは、例えば、ＵＥ１００−１は、相手端末を特定せずに、Ｄ２Ｄ通信用の信号の送信（ブロードキャストによる報知など）を開始する。これにより、ＵＥ１００は、相手端末の発見の有無にかかわらず、Ｄ２Ｄ通信を開始できる。なお、Ｄ２Ｄ通信用の信号の待ち受け動作を行っているＵＥ１００−２は、ＵＥ１００−１からの当該信号に基づいて、同期又は／及び復調を行う。
【００７９】
（固定ＵＥリスト、固定Ｄ２ＤＵＥリスト）
次に、固定ＵＥリスト及び固定Ｄ２ＤＵＥリストについて説明する。
【００８０】
Ｄ２Ｄ通信を行うことが可能なＵＥ１００は、一般的なモバイルＵＥ１００だけでなく、移動が制限された固定型のＵＥ１００（以下、固定ＵＥと適宜称する）がある。移動が制限された固定型のＵＥ１００の一例として、位置が固定されたＵＥ１００、或いは、ＭＴＣ機能を有するＵＥ１００である。なお、固定ＵＥは、固定ノードに相当する。
【００８１】
以後において、固定ＵＥのうち、Ｄ２Ｄ近傍サービス（Ｄ２Ｄ通信）を用いて所定の情報（例えば、広告）を送信（配信）するＵＥ１００を固定Ｄ２ＤＵＥと適宜称する。
【００８２】
本実施形態において、ｅＮＢ２００は、自セルに在圏（存在）する固定ＵＥの情報に関する固定ＵＥリストを有する。固定ＵＥリストは、固定ＵＥの識別子だけでなく、固定ＵＥの位置情報が登録されていてもよい。また、固定ＵＥリストは、自セル内にブロードキャスト又はユニキャストされるリストであってもよい。
【００８３】
また、ｅＮＢ２００は、Ｄ２Ｄ通信機能を有する固定ＵＥの情報に関する固定Ｄ２Ｄリストを有してもよい。ｅＮＢ２００は、固定ＵＥリストにＤ２Ｄ通信機能の有無の項目を設けることによって、１つのリストが固定ＵＥリストと固定Ｄ２Ｄリストとを兼ねてもよい。
【００８４】
ｅＮＢ２００は、自セルに在圏するＵＥ１００が固定ＵＥか否かを判定するために以下の方法を用いることができる。
【００８５】
第１に、ｅＮＢ２００は、自セルに在圏するＵＥ１００から受信した能力情報（ｃａｐａｂｉｌｉｔｙ情報）に固定ＵＥであるか否かを判定可能な情報が含まれる場合、能力情報の送信元のＵＥ１００は、固定ＵＥであると判定する。
【００８６】
固定ＵＥであるか否かを判定可能な情報は、例えば、固定ＵＥであるか否かを示す固定フラグである。この固定フラグがＯＮである場合、能力情報の送信元のＵＥ１００は、固定ＵＥであり、固定フラグがＯＦＦである場合、能力情報の送信元のＵＥ１００は、固定ＵＥでないと、ｅＮＢ２００は判定できる。
【００８７】
或いは、ｅＮＢ２００は、能力情報にＵＥの種別を示すフラグがあり、当該フラグが、固定的な広告配信を行うことを示す場合、能力情報の送信元のＵＥ１００は、固定ＵＥであると判定する。
【００８８】
なお、能力情報が、固定フラグとともに、Ｄ２Ｄ通信可能であるか否かを示すＤ２Ｄフラグを含む場合、ｅＮＢ２００は、能力情報の送信元のＵＥ１００が固定Ｄ２ＤＵＥか否かを判定できる。
【００８９】
第２に、ｅＮＢ２００が、消費電力の削減を図るために、自セルをオフするオフ対象ｅＮＢである場合、自セルがオフされるまで自セルに在圏し続け、且つ、自セルのオフ状態が終了した際に自セルにハンドオーバした回数が閾値を超えたＵＥ１００を、固定ＵＥであると判定する。
【００９０】
具体的には、ｅＮＢ２００は、自セルのオフに伴うハンドオーバ手続を行う際に、ハンドオーバ先のｅＮＢ２００−１からハンドオーバを行うＵＥ１００に割り当てられたハンドオーバ先のＣ−ＲＮＴＩを取得する。例えば、ｅＮＢ２００−１が、ハンドオーバ要求確認（ＨＯ  Ｒｅｑｕｅｓｔ  Ａｃｋ）に、Ｔｅｍｐｏｒａｒｙ  Ｃ−ＲＮＴＩの予約された値を含めて通知する。その後、ｅＮＢ２００−１が、Ｔｅｍｐｏｒａｒｙ  Ｃ−ＲＮＴＩに対応するＣ−ＲＮＴＩをハンドオーバ元のｅＮＢ２００に通知する。
【００９１】
その後、ｅＮＢ２００は、自セルのオフ状態が終了した際に、自セルにハンドオーバを行うＵＥ１００のハンドオーバ元のＣ−ＲＮＴＩをハンドオーバ元のｅＮＢ２００−１から取得する。例えば、ｅＮＢ２００−１は、ハンドオーバ要求（ＨＯ  Ｒｅｑｕｅｓｔ）にＣ−ＲＮＴＩの値を含めて通知する。ｅＮＢ２００は、ハンドオーバ先であったｅＮＢ２００−１から取得したＣ−ＲＮＴＩとハンドオーバ元であったｅＮＢ２００−１から取得したＣ−ＲＮＴＩとが同一である場合、当該Ｃ−ＲＮＴＩが割り当てられていたＵＥ１００のハンドオーバの回数を１回増加させる。
【００９２】
一方で、ｅＮＢ２００は、自セルがオフされるまで、当該ＵＥ１００が自セルに在圏し続けるか否かを判定する。当該ＵＥ１００が自セルに在圏し続け、且つ、自セルがオフ状態を終了した際に、当該ＵＥ１００が自セルにハンドオーバした回数が閾値を超えた場合、ｅＮＢ２００は、当該ＵＥ１００が固定ＵＥであると判定する。
【００９３】
或いは、ｅＮＢ２００は、自セルのオフに伴うハンドオーバ手続を行う際に、ハンドオーバするＵＥ１００のハンドオーバ要求メッセージにおけるＵＥの識別子であるＭＭＥ  ＵＥ  Ｓ１ＡＰ  ＩＤを保持する。その後、ｅＮＢ２００は、自セルのオフ状態が終了した際に、自セルにハンドオーバを行うＵＥ１００のＭＭＥ  ＵＥ  Ｓ１ＡＰ  ＩＤを確認する。ｅＮＢ２００は、自セルのオフの前後で同一のＭＭＥ  ＵＥ  Ｓ１ＡＰ  ＩＤに対応付けられたＵＥ１００のハンドオーバの回数を１回増加させる。
【００９４】
一方で、ｅＮＢ２００は、自セルがオフされるまで、当該ＵＥ１００が自セルに在圏し続けるか否かを判定する。当該ＵＥ１００が自セルに在圏し続け、且つ、自セルがオフ状態を終了した際に、当該ＵＥ１００が自セルにハンドオーバした回数が閾値を超えた場合、ｅＮＢ２００は、当該ＵＥ１００が固定ＵＥであると判定する。
【００９５】
第３に、ｅＮＢ２００が、隣接ｅＮＢがセルをオフしている間、エリア補完のためにセル拡張を行う拡張対象ｅＮＢである場合、自セルが拡張している間、自セルに在圏し続け、且つ、自セルを拡張した際に、ハンドオーバした回数が閾値を超えたＵＥ１００を、固定ＵＥであると判定する。具体的な動作は、上述の第２の方法と同様である。
【００９６】
ｅＮＢ２００は、上述の判定結果に基づいて、固定ＵＥと判定したＵＥ１００を固定ＵＥリストに登録する。
【００９７】
（固定ＵＥリストからの削除）
次に、固定ＵＥリストからの削除について、図８及び図９を用いて説明する。図８は、本実施形態に係る固定ＵＥリストから削除する動作を説明するためのシーケンス図である。図９は、本実施形態に係る固定ＵＥリストから削除する動作を説明するためのフローチャートである。なお、固定ＵＥリストでなく、固定Ｄ２ＤＵＥリストであってもよい。
【００９８】
ここで、ｅＮＢ２００−１のセル２５０−１にＵＥ１００−１及びＵＥ１００−２が在圏し、ｅＮＢ２００−１のセル２５０−１のオフ及びｅＮＢ２００−２のセル２５０−２の拡張に伴い、ＵＥ１００−１及びＵＥ１００−２がセル２５０−２に在圏すると仮定して説明を進める。
【００９９】
図８に示すように、ステップＳ１０１において、ｅＮＢ２００−１は、上述で説明した判定によって、ＵＥ１００−２を固定ＵＥと判定し、固定ＵＥリストにＵＥ１００−２を登録する。
【０１００】
ステップＳ１０２において、ｅＮＢ２００−１は、ＵＥ１００−１を固定ＵＥと判定し、固定ＵＥリストにＵＥ１００−１を登録する。
【０１０１】
ステップＳ１０３において、ｅＮＢ２００−１は、エナジーセービングをオンにする。すなわち、ｅＮＢ２００−１は、セル２５０−１をオフにする。一方、ｅＮＢ２００−２は、セル２５０−２を拡張する。これにより、ＵＥ１００−１及びＵＥ１００−２は、セル２５０−２に在圏する。
【０１０２】
ステップＳ１０４において、ｅＮＢ２００−２は、ＵＥ１００−２を固定ＵＥと判定し、固定ＵＥリストにＵＥ１００−２を登録する。
【０１０３】
ステップＳ１０５において、ｅＮＢ２００−２は、ＵＥ１００−１を固定ＵＥと判定し、固定ＵＥリストにＵＥ１００−１を登録する。
【０１０４】
ステップＳ１０６において、ｅＮＢ２００−１は、エナジーセービングをオフにする。すなわち、ｅＮＢ２００−１は、セル２５０−１をオン状態にする。一方、ｅＮＢ２００−２は、セル２５０−２の拡張を終了する。これにより、ＵＥ１００−１及びＵＥ１００−２は、セル２５０−１に在圏する。
【０１０５】
ステップＳ１０７において、ｅＮＢ２００−１は、エナジーセービンをオフにした後、再同期要求をＵＥ１００−２に行う。ＵＥ１００−２は、再同期を行う。これにより、ｅＮＢ２００−１は、ＵＥ１００−２がセル２５０−１に在圏していることを確認する。
【０１０６】
ステップＳ１０８において、ｅＮＢ２００−１は、同様に、再同期要求をＵＥ１００−１に行い、ＵＥ１００−１がセル２５０−１に在圏していることを確認する。
【０１０７】
その後、ＵＥ１００−１がセル２５０−１から移動したと仮定する。
【０１０８】
ステップＳ１０９において、ｅＮＢ２００−１は、ステップＳ１０７の再同期要求から所定時間経過した後、再同期要求をＵＥ１００−２に行う。ｅＮＢ２００−１は、ＵＥ１００−２がセル２５０−１に在圏していることを確認する。
【０１０９】
ステップＳ１１０において、ｅＮＢ２００−１は、ステップＳ１０８の再同期要求から所定時間経過した後、再同期要求をＵＥ１００−１に行う。ｅＮＢ２００−１は、ＵＥ１００−１から再同期が行われないため、ＵＥ１００−１がセル２５０−１に在圏していないと判定する。
【０１１０】
ステップＳ１１１において、ｅＮＢ２００−１は、固定ＵＥリストからＵＥ１００−１を削除する。
【０１１１】
その後、ｅＮＢ２００−１は、セル２５０−１からＵＥ１００−１が移動した旨をｅＮＢ２００−２に通知する。ｅＮＢ２００−２は、固定ＵＥリストからＵＥ１００−１を削除する。
【０１１２】
次に、図９を用いて、ｅＮＢ２００−１の動作を説明する。
【０１１３】
図９に示すように、ステップＳ１５１において、ｅＮＢ２００−１は、ＵＥ１００が、固定ＵＥリストに登録された固定ＵＥであるか否かを判定する。ｅＮＢ２００−１は、ＵＥ１００が、固定ＵＥリストに登録されていない場合、処理を終了する。一方、ｅＮＢ２００−１は、ＵＥ１００が、固定ＵＥリストに登録されている場合、ステップＳ１５２の処理を実行する。
【０１１４】
ステップＳ１５２において、ｅＮＢ２００−１は、固定ＵＥリストに登録されているＵＥ１００に対して、再同期要求を送信する。
【０１１５】
ステップＳ１５３において、ｅＮＢ２００−１は、固定ＵＥリストに登録されているＵＥ１００から再同期が行われたか否かを判定する。ｅＮＢ２００−１は、当該ＵＥ１００から再同期が行われた場合、再同期が行われたＵＥ１００に対する処理を終了する。一方、ｅＮＢ２００−１は、当該ＵＥ１００から再同期が行われない場合、ステップＳ１５４の処理を実行する。
【０１１６】
ステップＳ１５４において、ｅＮＢ２００−１は、固定ＵＥリストから当該ＵＥ１００を削除し、当該ＵＥ１００に対する処理を終了する。
【０１１７】
ｅＮＢ２００−１は、固定ＵＥリストに登録された全てのＵＥ１００に対して、これらの処理を実行する。
【０１１８】
（第１実施形態に係る動作）
（１）動作環境
次に、本実施形態に係る移動通信システムの動作環境について、図１０を用いて説明する。図１０は、第１実施形態に係る移動通信システムの動作環境を説明するための説明図である。
【０１１９】
図１０に示すように、移動通信システムは、ＵＥ１００（ＵＥ１００−１、ＵＥ１００−２）、ＵＥ１０１（ＵＥ１０１−１〜ＵＥ１０１−５）及びｅＮＢ２００（ｅＮＢ２００−１、ｅＮＢ２００−２）を有する。
【０１２０】
ＵＥ１００−１は、ｅＮＢ２００−１が管理するセル２５０−１内に在圏し、ＵＥ１００−２は、ｅＮＢ２００−２が管理するセル２５０−２内に在圏する。また、ＵＥ１０１は、固定Ｄ２ＤＵＥであり、広告配信用のＤ２Ｄ通信を行っている。ＵＥ１０１−１からＵＥ１０１−３は、セル２５０−１内に設置され、ＵＥ１０１−４及びＵＥ１０１−５は、セル２５０−２内に設置されている。ｅＮＢ２００−１は、エナジーセービングのために、自セルをオフするオフ対象ｅＮＢである。一方、ｅＮＢ２００−２は、セル２５０−１を補完するためのセル拡張を行う拡張対象ｅＮＢである。
【０１２１】
ここで、ｅＮＢ２００−１は、セル２５０−１をオフする前に、セル２５０−１を補完する拡張対象ｅＮＢを選択する。ｅＮＢ２００−１は、ｅＮＢ２００−１を制御するＭＭＥに制御されるｅＮＢ２００の中から拡張対象ｅＮＢを選択する。或いは、ｅＮＢ２００−１は、ｅＮＢ２００−１と同一のトラッキングエリアに属するｅＮＢ２００（すなわち、同一のトラッキングエリアリストを有するｅＮＢ２００）の中から拡張対象ｅＮＢを選択する。ｅＮＢ２００−１は、ｅＮＢ２００−２を拡張対象ｅＮＢに選択したと仮定して説明を進める。
【０１２２】
図１０（Ａ）に示すように、ｅＮＢ２００−１がセル２５０−１をオフする前の状態において、ｅＮＢ２００−１は、ＵＥ１０１−１からＵＥ１０１−３が登録された固定ＵＥリストを保持し、ｅＮＢ２００−２は、ＵＥ１０１−４及びＵＥ１０１−５が登録された固定ＵＥリストを保持する。
【０１２３】
ｅＮＢ２００−１は、セル２５０−１を運用する際に固定ＵＥリストを用いる。具体的には、ｅＮＢ２００−１は、固定ＵＥリストを自セル内にブロードキャストしたり、固定ＵＥリストをＵＥ１００−１にユニキャストで送信したりする。ＵＥ１００−１は、受信した固定ＵＥリストを用いて、例えば、セル２５０−１内に在圏する固定ＵＥを把握できる。
【０１２４】
なお、ｅＮＢ２００−２もｅＮＢ２００−１と同様に、セル２５０−２を運用する際に固定ＵＥリストを用いる。
【０１２５】
ｅＮＢ２００−１は、ｅＮＢ２００−２がセル２５０−２を拡張する前にｅＮＢ２００に、Ｘ２インターフェイスを介して固定ＵＥリストを送信する。
【０１２６】
図１０（Ｂ）に示すように、ｅＮＢ２００−１がセル２５０−１をオフし、ｅＮＢ２００−２がセル２５０−２を拡張する。
【０１２７】
ｅＮＢ２００−２は、セル２５０−２を運用する際に用いていた固定ＵＥリストに加えて、ｅＮＢ２００−１から受信した固定ＵＥリストに基づいて、カバレッジが拡張されたセル２５０−２を運用する。すなわち、ｅＮＢ２００−２は、ｅＮＢ２００−１から固定ＵＥリストを引き継いでセル２５０−２の運用を行う。具体的には、ｅＮＢ２００−２は、拡張されたセル２５０−２内にてｅＮＢ２００−１から受信した固定リストに基づいて更新された固定ＵＥリストをブロードキャスト又はユニキャストする。これにより、ｅＮＢ２００−２が予め保持していた固定ＵＥリストにないＵＥ１０１−１からＵＥ１０１−３に関する情報も含む固定ＵＥリストをセル２５０−２内にいるＵＥ１００−１及びＵＥ１００−２に提供することができる。
【０１２８】
（２）エナジーセービングの開始時における動作
次に、エナジーセービングの開始時における動作について、図１０及び図１１を用いて説明する。図１１は、第１実施形態に係るエナジーセービングの開始時における動作を説明するためのシーケンス図である。
【０１２９】
図１１に示すように、ステップＳ２０１において、ｅＮＢ２００−１は、セル拡張を行うことを要求するためのＥＳ要求をｅＮＢ２００−２に送信する。ｅＮＢ２００−２は、ＥＳ要求を受信する。
【０１３０】
ステップＳ２０２において、ｅＮＢ２００−２は、ＥＳ要求に対する応答をｅＮＢ２００−１に送信する。ｅＮＢ２００−１は、ＥＳ要求応答を受信する。ｅＮＢ２００−２が、ＥＳ要求を了承することを示す旨の応答を送信した場合、ステップＳ２０３の処理が実行される。一方、ｅＮＢ２００−２が、ＥＳ要求を拒否することを示す旨の応答を送信した場合、処理が終了する。
【０１３１】
ステップＳ２０３において、ｅＮＢ２００−１は、固定ＵＥリストをｅＮＢ２００−２に送信する。ｅＮＢ２００−２は、固定ＵＥリストを受信する。
【０１３２】
ステップＳ２０４において、ｅＮＢ２００−２は、固定ＵＥリストを受信した旨を含む固定ＵＥリスト応答をｅＮＢ２００−１に送信する。ｅＮＢ２００−１は、固定ＵＥリスト応答を受信する。
【０１３３】
その後、ｅＮＢ２００−１は、セル２５０−１をオフにし、ｅＮＢ２００−２は、セル２５０−２を拡張し、ｅＮＢ２００−１から受信した固定リストに基づいて、セル２５０−２の運用を開始する。
【０１３４】
（３）エナジーセービングの終了時における動作
次に、エナジーセービングの終了時における動作について、図１０及び図１２を用いて説明する。図１２は、第１実施形態に係るエナジーセービングの終了時における動作を説明するためのフローチャートである。具体的には、図１２は、セル２５０−１のカバレッジを補完するためにセル２５０−２の拡張を行っているｅＮＢ２００−２の動作を説明するためのフローチャートである。
【０１３５】
図１２に示すように、ステップＳ２２１において、ｅＮＢ２００−２は、セル２５０−１のオフを終了することを示すエナジーセービングオフ（ＥＳ  ＯＦＦ）の情報をセル２５０−１をオフしているｅＮＢ２００−１から受信する。
【０１３６】
ステップＳ２２２において、ｅＮＢ２００−２は、ｅＮＢ２００−１の固定ＵＥリストを有するか否かを判定する。ｅＮＢ２００−２は、ｅＮＢ２００−１の固定ＵＥリストを有する場合、ステップＳ２２３の処理を実行する。一方、ｅＮＢ２００−２は、ｅＮＢ２００−１の固定ＵＥリストを有さない場合、処理を終了する。
【０１３７】
ステップＳ２２３において、ｅＮＢ２００−２は、ｅＮＢ２００−１の固定ＵＥリストを削除する。拡張されていないセル２５０−２の運用に不要となる情報が削除されるため、ｅＮＢ２００−２の負荷を軽減できる。
【０１３８】
なお、ｅＮＢ２００−２は、固定ＵＥリストを削除せずにｅＮＢ２００−１に戻してもよい。例えば、ｅＮＢ２００−２は、ｅＮＢ２００−１の固定ＵＥリストを更新した場合に、ｅＮＢ２００−１に戻してもよい。
【０１３９】
（変更例）
次に、本実施形態に係る変更例について、図１３を用いて説明する。図１３は、本実施形態の変更例に係る動作を説明するための説明図である。なお、上述した実施形態と異なる部分を中心に説明し、同様の部分は、説明を適宜省略する。
【０１４０】
上述した実施形態では、オフ対象ｅＮＢから拡張対象ｅＮＢへ送信されるリスト情報は、固定ＵＥリストであった。本変更例では、無線ＬＡＮアクセスポイント（ＷＬＡＮＡＰ又はＷｉＦiＡＰ）のホワイトリストであるＡＰリストである。
【０１４１】
図１３（Ａ）は、エナジーセービングが行われる前の状態の図である。図１３（Ａ）に示すように、複数のｅＮＢ２００（ｅＮＢ２００−１からｅＮＢ２００−３）のそれぞれは、自セル内に位置するＡＰ４０１のホワイトリストであるＡＰリストを有する。
【０１４２】
ｅＮＢ２００−１は、自セルをオフすると決定し、ｅＮＢ２００−１が保持するＡＰリストをｅＮＢ２００−２及びｅＮＢ２００−３のそれぞれに送信する。その後、ｅＮＢ２００−１は、自セルをオフし、ｅＮＢ２００−２及びｅＮＢ２００−３のそれぞれが、自セルを拡張する（図１３（Ｂ）参照）。
【０１４３】
その後、ｅＮＢ２００−２及びｅＮＢ２００−３のそれぞれは、拡張した自セルの運用を開始する。
【０１４４】
ｅＮＢ２００−２及びｅＮＢ２００−３のそれぞれは、自セル内のＡＰの探索を（定期的に）行う。
【０１４５】
ｅＮＢ２００−２は、ＡＰの探索の結果、自セル内にＡＰ４０１−１が存在し、自セル内に、ＡＰ４０１−２及びＡＰ４０１−３が存在しないと判定する。ｅＮＢ２００−２は、判定結果に基づいて、ＡＰ４０１−２及びＡＰ４０１−３をＡＰリストから削除することによって、ＡＰリストを更新する（図１３（Ｃ）参照）。同様に、ｅＮＢ２００−３は、ＡＰ４０１−１をＡＰリストから削除することによって、ＡＰリストを更新する。
【０１４６】
ｅＮＢ２００−２及びｅＮＢ２００−３のそれぞれは、更新したＡＰリストに基づいて、拡張したセルの運用を行う。例えば、ｅＮＢ２００−２及びｅＮＢ２００−３のそれぞれは、自セルのカバレッジ内にて更新したＡＰリストをブロードキャスト又はユニキャストする。
【０１４７】
ｅＮＢ２００−２及びｅＮＢ２００−３のそれぞれは、セル拡張を終了した後も、更新したＡＰリストを保持してもよい。ｅＮＢ２００−２及びｅＮＢ２００−３のそれぞれは、保持した更新ＡＰリストを、次のセル拡張を行う場合に利用できる。
【０１４８】
また、ｅＮＢ２００−２及びｅＮＢ２００−３のそれぞれは、自セルを拡張する前に保持していたＡＰリストを保持しておき、セル拡張が終了した後は、自セルを拡張する前に保持していたＡＰリストを利用できる。
【０１４９】
このように、ｅＮＢ２００−２及びｅＮＢ２００−３のそれぞれは、自セルの拡張の状況に応じて、ＡＰリストを切り替えることができる。
【０１５０】
（第１実施形態のまとめ）
本実施形態において、ｅＮＢ２００−１が、セル拡張が行われる前に固定ＵＥリストをｅＮＢ２００−２に送信する。ｅＮＢ２００−２が、固定ＵＥリストに基づいて、カバレッジが拡張されたセル２５０−２を運用する。これにより、ｅＮＢ２００−２は、固定ＵＥリストにより、エリア補完した範囲の固定ＵＥの状況が把握できるため、固定ＵＥを把握するための動作を行う必要がなく、ネットワーク効率の低下を抑制できる。
【０１５１】
本実施形態において、固定ＵＥリストは、ｅＮＢ２００−１がセル２５０−１のカバレッジ内にてブロードキャスト又はユニキャストされていたリストである。ｅＮＢ２００−２は、セル２５０−２のカバレッジ内にて、固定ＵＥリストをブロードキャスト又はユニキャストできる。これにより、ｅＮＢ２５０−１は、セル拡張を行った後にセル２５０−２のカバレッジ内にて、ｅＮＢ２００−１の固定ＵＥリストをブロードキャスト又はユニキャストできるため、ネットワーク効率の低下を抑制できる。
【０１５２】
本実施形態において、ｅＮＢ２００−２が、セル拡張を終了した後、固定ＵＥリストを削除する又は固定ＵＥリストをｅＮＢ２００−１に戻す。これにより、ｅＮＢ２００−２は、拡張されていないセル２５０−２の運用に不要となる情報が削除されるため、ｅＮＢ２００−２の負荷を軽減できる。
【０１５３】
本実施形態において、ｅＮＢ２００−２は、固定ＵＥリストを更新する。ｅＮＢ２００−２は、拡張したセルの運用を終了した後、次のセル拡張のために更新した固定ＵＥリストを保持する。これにより、ｅＮＢ２００−２が、更新された固定ＵＥリストを用いて拡張されたセルを運用することにより、ネットワーク効率の低下をさらに抑制できる。
【０１５４】
本実施形態において、ｅＮＢ２００−２がｅＮＢ２００−１から受信する固定ＵＥリストは、セル２５０−１内に存在し、位置が固定された固定ノードに関するリストを示す情報である。また、本実施形態において、固定ノードは、無線ＬＡＮアクセスポイント、又は、Ｄ２Ｄ近傍サービス（Ｄ２Ｄ通信）を用いて情報を送信（配信）する固定型のＵＥ１００である。位置が固定された固定ノードは、ｅＮＢ２００−２がセル拡張を行った場合に、拡張されたセルに在圏する可能性が高いため、ｅＮＢ２００−２がこのような固定ノードに関するリスト情報をｅＮＢ２００−１から取得することにより、ネットワーク効率の低下をさらに抑制できる。
【０１５５】
本実施形態において、ｅＮＢ２００−１が固定ＵＥか否かを判定可能な情報を含む能力情報を、セル２５０−１に在圏するＵＥ１００から受信する。ｅＮＢ２００−１は、能力情報に基づいて、ＵＥ１００が固定ＵＥであるか否かを判定する。ｅＮＢ２００−１は、判定結果に基づいて、固定ＵＥリストを更新する。また、本実施形態において、セル２５０−１がオフされるまで、セル２５０−１に在圏し続け、且つ、セル２５０−１のオフ状態が終了した際にセル２５０−１にハンドオーバした回数が閾値を超えたＵＥ１００を固定ＵＥであるとｅＮＢ２００−１が判定する。ｅＮＢ２００−１は、判定結果に基づいて、固定ＵＥリストを更新する。また、本実施形態において、セル２５０−２が拡張している間、セル２５０−１に在圏し続け、且つ、セル２５０−２を拡張した際に、セル２５０−２にハンドオーバした回数が、閾値を超えたＵＥ１００を固定ＵＥであるとｅＮＢ２００−２が判定する。ｅＮＢ２００−２は、判定結果に基づいて、固定ＵＥリストを更新する。これにより、固定ＵＥリストが適切に更新されるため、ネットワーク効率の低下を抑制できる。
【０１５６】
本実施形態において、ｅＮＢ２００−１は、ｅＮＢ２００−１を制御するＭＭＥに制御されるｅＮＢ２００の中から拡張対象ｅＮＢを選択する。或いは、ｅＮＢ２００−１は、ｅＮＢ２００−１と同一のトラッキングエリアに属するｅＮＢ２００の中から拡張対象ｅＮＢを選択する。これにより、ｅＮＢ２００−１は、エリア補完ができない不適切な隣接ｅＮＢ２００を拡張対象ｅＮＢとして選択することを抑制できる。
【０１５７】
［第２実施形態］
次に、第２実施形態について、説明する。上述した第１実施形態と異なる部分を中心に説明し、同様の部分は、説明を適宜省略する。
【０１５８】
上述した実施形態では、オフ対象ｅＮＢがリスト情報を拡張対象ｅＮＢに送信するケースを説明した。本実施形態では、オフ対象ｅＮＢが固定Ｄ２ＤＵＥの情報を拡張対象ｅＮＢに送信し、セル拡張が行われる前に、拡張対象ｅＮＢが固定Ｄ２ＤＵＥのためにセル拡張後に拡張セルにおいて用いられるリソースを予め確保するケースを説明する。
【０１５９】
（１）ｅＮＢ２００の動作
まず、ｅＮＢ２００の動作を中心に、図１４及び図１５を用いて説明する。図１４は、第２実施形態に係るｅＮＢ２００の動作を説明するためのシーケンス（その１）である。図１５は、第２実施形態に係るｅＮＢ２００の動作を説明するためのシーケンス（その２）である。
【０１６０】
図１４において、ｅＮＢ２００−１は、オフ対象ｅＮＢであり、ｅＮＢ２００−２は、拡張対象ｅＮＢである。ここで、固定Ｄ２ＤＵＥであるＵＥ１０１−１が、ｅＮＢ２００−１が管理するセルに在圏すると仮定して説明を進める。
【０１６１】
図１４に示すように、ステップＳ３０１において、ＵＥ１０１−１は、Ｄ２Ｄ通信のための発見信号の送信に用いられるＤｉｓｃｏｖｅｒｙ情報を取得することを、ｅＮＢ２００−１に要求する。ＵＥ１０１−１が送信したＤｉｓｃｏｖｅｒｙ情報取得要求は、送信元のＵＥ１０１−１が固定Ｄ２ＤＵＥであるか否かを示す情報が含まれる。
【０１６２】
なお、Ｄｉｓｃｏｖｅｒｙ情報は、例えば、発見信号の送信のために割り当てられる識別子、発見信号の送信のために用いられる時間・周波数リソースなどが挙げられる。
【０１６３】
ｅＮＢ２００−１は、固定Ｄ２ＤＵＥであるか否かを示す情報に基づいて、ＵＥ１０１−１が固定Ｄ２ＤＵＥであるか否かを判定する。ｅＮＢ２００−１は、ＵＥ１０１−１が固定Ｄ２ＤＵＥである場合、ステップＳ３０２の処理を実行する。一方、ｅＮＢ２００−１は、ＵＥ１０１−１が固定Ｄ２ＤＵＥでない場合、ステップＳ３１１の処理を実行する。
【０１６４】
ステップＳ３０２において、ｅＮＢ２００−１は、固定Ｄ２ＤＵＥの設定要求をｅＮＢ２００−２に送信する。固定Ｄ２ＤＵＥの設定要求は、ｅＮＢ２００−１が割り当て可能なリソースの候補群を示す情報が含まれる。具体的には、リソースの候補群を示す情報は、複数のＣ−ＲＮＴＩ及び複数のＤｉｓｃｏｖｅｒｙ情報である。なお、固定Ｄ２ＤＵＥの設定要求は、セル拡張が行われた後に用いられるリソースを固定Ｄ２ＤＵＥ（ＵＥ１０１−１）のために確保するための要求であり、ｅＮＢ２００−１の自セルに在圏するＵＥ１０１−１に関する情報を含む。
【０１６５】
ステップＳ３０３において、ｅＮＢ２００−２は、ｅＮＢ２００−１から受信したリソースの候補群の中から、ｅＮＢ２００−２の自セルにおいて、未使用のリソース（すなわち、Ｃ−ＲＮＴＩ及びＤｉｓｃｏｖｅｒｙ情報）を探索する。
【０１６６】
ｅＮＢ２００−２は、未使用のリソースがある場合、ステップＳ３０４の処理を実行する。一方、ｅＮＢ２００−２は、未使用のリソースがない場合、ステップＳ３０８の処理を実行する。
【０１６７】
ステップＳ３０４において、ｅＮＢ２００−２は、未使用のリソース（Ｃ−ＲＮＴＩ１、Ｄｉｓｃｏｖｅｒｙ情報１）を選択する。さらに、ｅＮＢ２００−２は、選択したリソースを固定Ｄ２ＤＵＥであるＵＥ１０１−１用として固定Ｄ２ＤＵＥリストに登録する。これにより、ｅＮＢ２００−２は、選択したリソースがＵＥ１０１−１に用いられることを記憶する。
【０１６８】
ステップＳ３０５において、ｅＮＢ２００−２は、固定Ｄ２ＤＵＥの設定要求に対する応答を、ｅＮＢ２００−１に送信する。この応答は、ｅＮＢ２００−２が選択したリソース（Ｃ−ＲＮＴＩ１、Ｄｉｓｃｏｖｅｒｙ情報１）を含む。
【０１６９】
ステップＳ３０６において、ｅＮＢ２００−１は、応答に含まれるリソース（Ｃ−ＲＮＴＩ１、Ｄｉｓｃｏｖｅｒｙ情報１）をＵＥ１０１−１用として固定Ｄ２ＤＵＥリストに登録する。
【０１７０】
ステップＳ３０７において、ｅＮＢ２００−１は、Ｄ２Ｄ  Ｄｉｓｃｏｖｅｒｙ情報取得要求に対する応答をＵＥ１０１−１に送信する。この応答は、リソース（Ｃ−ＲＮＴＩ１、Ｄｉｓｃｏｖｅｒｙ情報１）と当該リソースを使用可能なｅＮＢ２００を示す情報（ｅＮＢ２００−１、ｅＮＢ２００−２の識別子）とが含まれる。
【０１７１】
これにより、ＵＥ１０１−１は、エナジーセービングに基づくセルの切り替えが繰り返し行われても、ｅＮＢ２００−１及びｅＮＢ２００−２からリソースの割り当てを受けずに、共通のＣ−ＲＮＴＩ及びＤｉｓｃｏｖｅｒｙ情報１を使用して、Ｄ２Ｄ通信を行うことが可能となる。
【０１７２】
一方、ｅＮＢ２００−２において候補群の中に未使用のリソースがない場合、ステップＳ３０８において、ｅＮＢ２００−２は、固定Ｄ２ＤＵＥの設定要求に対する応答を、ｅＮＢ２００−１に送信する。この応答は、対応不可能である旨を示す情報を含む。
【０１７３】
ステップＳ３０９において、ｅＮＢ２００−１は、未使用のリソースの中からＤｉｓｃｏｖｅｒｙ情報２を選択する。
【０１７４】
ステップＳ３１０において、ｅＮＢ２００−１は、Ｄ２Ｄ  Ｄｉｓｃｏｖｅｒｙ情報取得要求に対する応答をＵＥ１０１−１に送信する。この応答は、リソース（Ｄｉｓｃｏｖｅｒｙ情報２）が含まれる。
【０１７５】
一方、ＵＥ１０１−１が固定Ｄ２ＤＵＥでない場合、ステップＳ３１１において、ｅＮＢ２００−１は、未使用のリソースの中からＤｉｓｃｏｖｅｒｙ情報２を選択する。
【０１７６】
ステップＳ３１２は、ステップＳ３１０に対応する。
【０１７７】
次に、拡張対象ｅＮＢが予めリソースを確保する別のケースを、図１５を用いて説明する。
【０１７８】
図１５に示すように、ステップＳ３２１は、ステップＳ３０１に対応する。ｅＮＢ２００−１は、ＵＥ１０１−１が固定Ｄ２ＤＵＥである場合、ステップＳ３２２の処理を実行する。一方、ｅＮＢ２００−１は、ＵＥ１０１−１が固定Ｄ２ＤＵＥでない場合、ステップＳ３２８の処理を実行する。
【０１７９】
ステップＳ３２２において、ｅＮＢ２００−１は、固定Ｄ２ＤＵＥの設定要求をｅＮＢ２００−２に送信する。
【０１８０】
ステップＳ３２３において、ｅＮＢ２００−１は、ｅＮＢ２００−１が未使用のリソースの中から（Ｃ−ＲＮＴＩ１、Ｄｉｓｃｏｖｅｒｙ情報１）を選択する。さらに、ｅＮＢ２００−１は、選択したリソースを固定Ｄ２ＤＵＥであるＵＥ１０１−１用として固定Ｄ２ＤＵＥリストに登録する。
【０１８１】
ステップＳ３２４において、ｅＮＢ２００−２は、ｅＮＢ２００−２が未使用のリソースの中から（Ｃ−ＲＮＴＩ２、Ｄｉｓｃｏｖｅｒｙ情報２）を選択する。さらに、ｅＮＢ２００−２は、選択したリソースを固定Ｄ２ＤＵＥであるＵＥ１０１−１用として固定Ｄ２ＤＵＥリストに登録する。
【０１８２】
ステップＳ３２５において、ｅＮＢ２００−２は、固定Ｄ２ＤＵＥの設定要求に対する応答を、ｅＮＢ２００−１に送信する。この応答は、ｅＮＢ２００−２が選択したリソース（Ｃ−ＲＮＴＩ２、Ｄｉｓｃｏｖｅｒｙ情報２）を含む。
【０１８３】
ステップＳ３２６において、ｅＮＢ２００−１は、Ｄ２Ｄ  Ｄｉｓｃｏｖｅｒｙ情報取得要求に対する応答をＵＥ１０１−１に送信する。この応答は、ｅＮＢ２００−１のリソースを示す（Ｃ−ＲＮＴＩ１、Ｄｉｓｃｏｖｅｒｙ情報１、ｅＮＢ２００−１）とｅＮＢ２００−２のリソースを示す（Ｃ−ＲＮＴＩ２、Ｄｉｓｃｏｖｅｒｙ情報２、ｅＮＢ２００−２）とが含まれる。
【０１８４】
これにより、ＵＥ１０１−１は、エナジーセービングに基づくセルの切り替えに合わせて、使用するリソースを切り替えることにより、ｅＮＢ２００−１及びｅＮＢ２００−２からリソースの割り当てを受けずＤ２Ｄ通信を行うことが可能となる。
【０１８５】
ステップＳ３２７及びＳ３２８は、ステップＳ３１１及びＳ３１２に対応する。
【０１８６】
（２）固定Ｄ２ＤＵＥ１０１の動作
（２．１）固定Ｄ２ＤＵＥ１０１の動作概要
次に、固定Ｄ２ＤＵＥ１０１の動作概要を中心に、図１６及び図１７を用いて説明する。図１６及び図１７は、第２実施形態に係るＵＥ１０１の動作を説明するための説明図である。
【０１８７】
図１６（Ａ）に示されるように、ｅＮＢ２００−１が管理するセル２５０−１内に、固定Ｄ２ＤＵＥであるＵＥ１０１−１からＵＥ１０１−３が在圏する。また、ｅＮＢ２００−２が管理するセル２５０−２内に、固定Ｄ２ＤＵＥであるＵＥ１０１−４及びＵＥ１０１−５が在圏する。
【０１８８】
ｅＮＢ２００−２が保持する固定Ｄ２ＤＵＥリストは、拡張していない状態であっても、拡張した自セルのカバレッジ内に在圏するＵＥ１０１−１からＵＥ１０１−３が登録される。ｅＮＢ２００−２は、セル拡張が行われる前のセル２５０−２のカバレッジ内に在圏するＵＥ１０１−４及びＵＥ１０１−５だけでなく、セル拡張が行われた後のセル２５０−２のカバレッジ内に在圏するＵＥ１０１−１からＵＥ１０１−３に対しても、リソース（Ｃ−ＲＮＴＩ，Ｄｉｓｃｏｖｅｒｙ情報）を割り当てている。従って、図１７に示されるように、ＵＥ１０１−１からＵＥ１０１−３は、ｅＮＢ２００−１の識別子とｅＮＢ２００−１に対応するリソース、及び、ｅＮＢ２００−２の識別子とｅＮＢ２００−２に対応するリソースを記憶している。
【０１８９】
ＵＥ１０１−１からＵＥ１０１−３のそれぞれは、セル２５０−１のオン／オフに合わせて、具体的には、ｅＮＢ２００−１又はｅＮＢ２００−２からセルをオフする又はオンする旨の信号の受信に合わせて、使用するリソースを切り替えて発見信号の送信を行う。具体的には、ＵＥ１０１−１からＵＥ１０１−３は、検知したｅＮＢ２００の識別子に対応するリソースを用いて発見信号の送信を行う。
【０１９０】
（２．２）固定Ｄ２ＤＵＥ１０１の動作シーケンス
次に、固定Ｄ２ＤＵＥ１０１の動作シーケンスを、図１８及び図１９を用いて説明する。図１８及び図１９は、第２実施形態に係るＵＥ１０１の動作を説明するためのシーケンス図である。
【０１９１】
ステップＳ４０１において、ＵＥ１０１−１は、ｅＮＢ２００−１に接続するための手続き（ランダムアクセス手続）を行う。その後、ＵＥ１０１−１は、ｅＮＢ２００−１（のセル）に接続する。なお、ｅＮＢ２００−１は、ＵＥ１０１−１にＣ−ＲＮＴＩ１を割り当てる。
【０１９２】
ステップＳ４０２において、ＵＥ１０１−１は、Ｄ２Ｄ  Ｄｉｓｃｏｖｅｒｙ情報取得要求をｅＮＢ２００−１に送信する。Ｄ２Ｄ  Ｄｉｓｃｏｖｅｒｙ情報取得要求は、ＣＲＮＴＩ１及び固定Ｄ２ＤＵＥであるか否かを示す情報を含む。
【０１９３】
ステップＳ４０３において、ｅＮＢ２００−１は、未使用のリソースの中からＤｉｓｃｏｖｅｒｙ情報１を選択する。
【０１９４】
ＵＥ１０１−１が固定Ｄ２ＤＵＥである場合、ステップＳ４０４において、ｅＮＢ２００−１は、Ｃ−ＲＮＴＩ１、Ｄｉｓｃｏｖｅｒｙ情報１をＵＥ１０１−１用として固定Ｄ２ＤＵＥリストに登録する。
【０１９５】
ステップＳ４０５において、ｅＮＢ２００−１は、Ｄ２Ｄ  Ｄｉｓｃｏｖｅｒｙ情報取得要求に対する応答をＵＥ１０１−１に送信する。この応答は、Ｄｉｓｃｏｖｅｒｙ情報１を含む。
【０１９６】
ステップＳ４０６において、ＵＥ１０１−１は、ｅＮＢ２００−１の識別子、Ｃ−ＲＮＴＩ１、Ｄｉｓｃｏｖｅｒｙ情報１を対応付けて、所定のリストに登録する。
【０１９７】
一方、ＵＥ１０１−１が固定Ｄ２ＤＵＥでない場合、ステップＳ４０７において、ｅＮＢ２００−１は、Ｄ２Ｄ  Ｄｉｓｃｏｖｅｒｙ情報取得要求に対する応答をＵＥ１０１−１に送信する。この応答は、Ｄｉｓｃｏｖｅｒｙ情報１を含む。
【０１９８】
ステップＳ４０８において、ＵＥ１０１−１は、Ｄｉｓｃｏｖｅｒｙ情報１を用いて、発見信号であるＤｉｓｃｏｖｅｒｙ１の送信を開始する。
【０１９９】
その後、ステップＳ４１１において、ｅＮＢ２００−１は、エナジーセービングをＯＮにする。これにより、ｅＮＢ２００−１は、自セルをオフにし、ｅＮＢ２００−２は、自セルを拡張し、ｅＮＢ２００−１のセルのエリア補完を行う。また、ＵＥ１０１−１は、ｅＮＢ２００−２のセルに在圏を開始する。
【０２００】
ステップＳ４１２において、ステップＳ４０１と同様に、ＵＥ１０１−１は、ｅＮＢ２００−２（のセル）に接続する。なお、ｅＮＢ２００−２は、ＵＥ１０１−１にＣ−ＲＮＴＩ２を割り当てる。
【０２０１】
ステップＳ４１３において、ステップＳ４０２と同様に、ＵＥ１０１−１は、Ｄ２Ｄ  Ｄｉｓｃｏｖｅｒｙ情報取得要求をｅＮＢ２００−２に送信する。Ｄ２Ｄ  Ｄｉｓｃｏｖｅｒｙ情報取得要求は、Ｃ−ＲＮＴＩ２及び固定Ｄ２ＤＵＥであるか否かを示す情報を含む。
【０２０２】
ステップＳ４１４において、ｅＮＢ２００−２は、未使用のリソースの中からＤｉｓｃｏｖｅｒｙ情報２を選択する。
【０２０３】
ＵＥ１０１−１が固定Ｄ２ＤＵＥである場合、ステップＳ４１５において、ｅＮＢ２００−２は、Ｃ−ＲＮＴＩ２、Ｄｉｓｃｏｖｅｒｙ情報２をＵＥ１０１−１用として固定Ｄ２ＤＵＥリストに登録する。
【０２０４】
ステップＳ４１６において、ｅＮＢ２００−２は、Ｄ２Ｄ  Ｄｉｓｃｏｖｅｒｙ情報取得要求に対する応答をＵＥ１０１−１に送信する。この応答は、Ｄｉｓｃｏｖｅｒｙ情報２を含む。
【０２０５】
ステップＳ４１７において、ＵＥ１０１−１は、ｅＮＢ２００−２の識別子、Ｃ−ＲＮＴＩ２、Ｄｉｓｃｏｖｅｒｙ情報２を対応付けて、所定のリストに登録する。
【０２０６】
一方、ＵＥ１０１−１が固定Ｄ２ＤＵＥでない場合、ステップＳ４１８において、ｅＮＢ２００−２は、Ｄ２Ｄ  Ｄｉｓｃｏｖｅｒｙ情報取得要求に対する応答をＵＥ１０１−１に送信する。この応答は、Ｄｉｓｃｏｖｅｒｙ情報２を含む。
【０２０７】
ステップＳ４１９において、ＵＥ１０１−１は、Ｄｉｓｃｏｖｅｒｙ情報２を用いて、発見信号であるＤｉｓｃｏｖｅｒｙ２の送信を開始する。
【０２０８】
図１９のステップＳ４２１において、ｅＮＢ２００−１は、エナジーセービングをＯＦＦにする。これにより、ｅＮＢ２００−１は、自セルをオンにし、ｅＮＢ２００−２は、自セルの拡張を終了する。また、ＵＥ１０１−１は、ｅＮＢ２００−１のセルに在圏を開始する。
【０２０９】
ＵＥ１０１−１が固定ＵＥである場合、ステップＳ４２２において、ＵＥ１０１−１は、セルの切り替えに応じて、ｅＮＢ２００−１に接続するための手続きを行わずに、ＣＲＮＴＩ１を用いて動作を行う。また、ｅＮＢ２００−１は、Ｄｉｓｃｏｖｅｒｙ情報１を用いて、発見信号であるＤｉｓｃｏｖｅｒｙ１の送信を開始する。
【０２１０】
一方、ＵＥ１０１−１が固定ＵＥでない場合、ステップＳ４２３において、ＵＥ１０１−１は、ｅＮＢ２００−１に接続するための手続きを行い、ｅＮＢ２００−１に接続する。なお、ｅＮＢ２００−１は、ＵＥ１０１−１にＣ−ＲＮＴＩ３を割り当てる。
【０２１１】
ステップＳ４２４からＳ４２７は、Ｃ−ＲＮＴＩ１の代わりにＣ−ＲＮＴＩ３が用いられること、Ｄｉｓｃｏｖｅｒｙ情報１の代わりにＤｉｓｃｏｖｅｒｙ情報３が用いられること、及び、Ｄｉｓｃｏｖｅｒｙ１の送信の代わりにＤｉｓｃｏｖｅｒｙ３の送信が行われることを除いて、ステップＳ４０２、Ｓ４０３、Ｓ４０５、Ｓ４０８に対応する。
【０２１２】
ステップＳ４３１は、ステップＳ４１１に対応する。
【０２１３】
その後、ＵＥ１０１−１が固定Ｄ２ＤＵＥである場合、ステップＳ４３２において、ｅＮＢ２００−２のセルに在圏したＵＥ１０１−１は、セルの切り替えに応じて、ｅＮＢ２００−１に接続するための手続きを行わずに、Ｃ−ＲＮＴＩ２を用いて動作を行う。また、ｅＮＢ２００−１は、Ｄｉｓｃｏｖｅｒｙ情報２を用いて、発見信号であるＤｉｓｃｏｖｅｒｙ２の送信を開始する。
【０２１４】
一方、ＵＥ１０１−１が固定Ｄ２ＤＵＥでない場合、ステップＳ４３３において、ＵＥ１０１−１は、ｅＮＢ２００−２に接続するための手続きを行い、ｅＮＢ２００−２に接続する。なお、ｅＮＢ２００−１は、ＵＥ１０１−１にＣ−ＲＮＴＩ４を割り当てる。
【０２１５】
ステップＳ４３４からＳ４３７は、Ｃ−ＲＮＴＩ２の代わりにＣ−ＲＮＴＩ４が用いられること、Ｄｉｓｃｏｖｅｒｙ情報２の代わりにＤｉｓｃｏｖｅｒｙ情報４が用いられること、及び、Ｄｉｓｃｏｖｅｒｙ２の送信の代わりにＤｉｓｃｏｖｅｒｙ４の送信が行われることを除いて、ステップＳ４１３、Ｓ４１４、Ｓ４１６、Ｓ４１９に対応する。
【０２１６】
（第２実施形態のまとめ）
本実施形態において、ｅＮＢ２００−１が、自セルに在圏するＵＥ１０１−１に関する情報である固定Ｄ２ＤＵＥの設定要求をセル拡張が行われる前に送信する。ｅＮＢ２００−２は、固定Ｄ２ＤＵＥの設定要求に基づいて、セル拡張が行われた後に用いられるリソースをＵＥ１０１−１のために確保する。これにより、ＵＥ１０１−１は、セル拡張が行われた場合に、予めリソースが確保されているため、ＵＥ１０１−１は、セル拡張が行われた後にリソースが確保される場合に比べて、リソースを早期に用いることができ、エナジーセービング技術を導入した場合において、ネットワーク効率が低下することを抑制できる。
【０２１７】
本実施形態において、ＵＥ１０１−１は、ｅＮＢ２００−１のセルがオフされる前に、ｅＮＢ２００−２のセル内で用いられるリソースを受信する。ＵＥ１０１−１は、ｅＮＢ２００−２のセルが拡張した後で、且つ、ｅＮＢ２００−２のセルに在圏している間、当該リソースを用いて動作する。これにより、ＵＥ１０１−１は、ｅＮＢ２００−２のセルが拡張した後に、リソースを用いてすぐに動作できる。
【０２１８】
本実施形態において、当該リソースは、ｅＮＢ２００−２のセルのカバレッジ内でＵＥ１０１−１を識別するために用いられる一時識別子であるＣ−ＲＮＴＩである。ＵＥ１０１−１は、ｅＮＢ２００−２のセルが拡張した後、ｅＮＢ２００−２のセルに在圏した場合、ｅＮＢ２００−２のセルに接続するためのランダムアクセス手続きを省略して、ＣＲＮＴＩを用いて動作できる。これにより、ＵＥ１００−１は、エナジーセービングが行われる度に、ランダムアクセス手続きを省略しなくて済む。
【０２１９】
本実施形態において、ｅＮＢ２００−２に割り当てられるリソースは、Ｄ２Ｄ通信における相手端末の発見処理（発見信号の送信）に用いられるＤｉｓｃｏｖｅｒｙ情報である。ＵＥ１０１−１は、ｅＮＢ２００−２のセルが拡張した後、ｅＮＢ２００−２のセルに在圏した場合、ｅＮＢ２００−２（のセル）に接続せずに、Ｄｉｓｃｏｖｅｒｙ情報に基づいて、発見処理を行うことができる。これにより、ＵＥ１００−１は、エナジーセービングが行われる度に、ｅＮＢ２００−２と接続しなくて済む。
【０２２０】
本実施形態において、ＵＥ１０１−１は、ｅＮＢ２００−１のセルがオフされる前にｅＮＢ２００−１から割り当てられたリソースとｅＮＢ２００−２から割り当てられたリソースとを対応付けて記憶する。ＵＥ１０１−１がｅＮＢ２００−２のセルの拡張が終了した後にｅＮＢ２００−１のセルに再び在圏した場合、ｅＮＢ２００−１から割り当てられたリソースを用いて動作する。これにより、ＵＥ１０１−１は、ｅＮＢ２００−１のセルに在圏した後、リソースを用いてすぐに動作できる。
【０２２１】
本実施形態において、ｅＮＢ２００−２から割り当てられたリソースは、ｅＮＢ２００−１から割り当てられたリソースと共通のリソースである。これにより、ＵＥ１０１−１は、エナジーセービングにより、セルが切り替わったとしても、リソースを切り替えずに動作を行うことができる。
【０２２２】
［その他実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０２２３】
例えば、上述した実施形態において、ｅＮＢ２００−１は、固定ＵＥリストの代わりに、固定Ｄ２ＤＵＥリストをリスト情報として、ｅＮＢ２００−２に送信してもよい。
【０２２４】
また、ｅＮＢ２００−１は、ｅＮＢ２００−２に対して、固定ＵＥリスト、固定ＵＥリスト、ＡＰリストだけでなく、他のリストを送信してもよい。
【０２２５】
例えば、ｅＮＢ２００−１は、「３ＧＰＰ技術報告書  「ＴＲ  ３６．３００」」に記載の以下のリストの少なくとも一つを保持していた場合、保持しているリストの少なくとも一つをｅＮＢ２００−２に送信してもよい。
【０２２６】
・トラッキングエリアリスト（Ｔｒａｃｋｉｎｇ  Ａｒｅａ  ｌｉｓｔ）
・ＣＳＧ  ＩＤのリスト（ｌｉｓｔ  ｏｆ  ＣＳＧ  ＩＤｓ）
・ドナーｅＮＢのリスト（ｌｉｓｔ  ｏｆ  ＤｅＮＢ  ｃｅｌｌｓ）
・ローミング禁止のトラッキングエリアのリスト（ｌｉｓｔ  ｏｆ  ｆｏｒｂｉｄｄｅｎ  ｔｒａｃｋｉｎｇ  ａｒｅａｓ  ｆｏｒ  ｒｏａｍｉｎｇ）
・隣接セルのブラックリスト
・ベストセルのリスト（ｌｉｓｔ  ｏｆ  ｔｈｅ  ｂｅｓｔ  ｃｅｌｌｓ）
・ドナーｅＮＢセルのリスト（ＤｅＮＢ  ｃｅｌｌ  ｌｉｓｔ）
・キャリア周波数のリスト（ｌｉｓｔ  ｏｆ  ｃａｒｒｉｅｒ  ｆｒｅｑｕｅｎｃｉｅｓ）
・ＩｎｔｅｒＲＡＴのリスト（ｌｉｓｔ  ｏｆ  ＲＡＴｓ）
・周波数のリスト（ｌｉｓｔ  ｏｆ  ｆｒｅｑｕｅｎｃｉｅｓ）
・隣接セルリスト（ｎｅｉｇｈｂｏｕｒ  ｃｅｌｌ  ｌｉｓｔ）
・ＨＲＰＤ  Ｓｅｃｏｎｄａｒｙ  Ｐｒｅ−ｒｅｇｉｓｔｒａｔｉｏｎ  Ｚｏｎｅ  ＩＤのリスト
・Ｅｑｕｉｖａｌｅｎｔ  ＰＬＭＮｓのリスト    ・ＣＳＧホワイトリスト（ＣＳＧ  ｗｈｉｔｅｌｉｓｔ）
・ハイブリッドセルのためのＰＣＴリスト（ＰＣＩ  ｌｉｓｔ  ｆｏｒ  ｈｙｂｒｉｄ  ｃｅｌｌｓ）
・ＭＣＣＨセッションリスト（ＭＣＣＨ  ｓｅｓｓｉｏｎ  ｌｉｓｔ）
・ＴＭＧＩ’ｓのリスト（ｌｉｓｔ  ｏｆ  ＴＭＧＩ’ｓ）
・Ｅ−ＲＡＢセットアップリスト（Ｅ−ＲＡＢ  Ｓｅｔｕｐ  ｌｉｓｔ）
・トラッキングリアの全体リスト（ｗｈｏｌｅ  ｌｉｓｔ  ｏｆ  ＴＡ（ｓ））
・ＧＵＭＭＥＩのリスト（ｌｉｓｔ  ｏｆ  ＧＵＭＭＥＩｓ）
・緊急情報の配信エリアリスト（Ｗａｒｎｉｎｇ  Ａｒｅａ  ｌｉｓｔ）
・Ｉｎｔｅｒ  Ｆｒｅｑｕｅｎｃｙ  Ｓｅａｒｃｈリスト（Ｉｎｔｅｒ  Ｆｒｅｑｕｅｎｃｙ  Ｓｅａｒｃｈ  ｌｉｓｔ）
・ＰＣＩ値リスト（ｌｉｓｔ  ｏｆ  ＰＣＩ  ｖａｌｕｅｓ）
・閾値を超えた無線品質のセルのリスト（ｌｉｓｔ  ｏｆ  ｃｅｌｌｓ  ｗｈｏｓｅ  ｒａｄｉｏ  ｑｕａｌｉｔｙ  ｅｘｃｅｅｄｓ  ｔｈｅ  ｔｈｒｅｓｈｏｌｄ）
・ドーマントセルのリスト（ｌｉｓｔ  ｏｆ  ｄｏｒｍａｎｔ  ｃｅｌｌｓ）
・Ｅ−ＵＴＲＡキャリアのリスト（ｌｉｓｔ  ｏｆ  Ｅ−ＵＴＲＡ  ｃａｒｒｉｅｒｓ）
【０２２７】
また、上述した第２実施形態において、固定Ｄ２ＤＵＥにリソースを割り当てていたが、これに限られない。固定ＵＥにリソースを割り当ててもよいし、一般的なＵＥ１００にリソースを割り当ててもよい。
【０２２８】
また、上述した第２実施形態の「（１）ｅＮＢ２００の動作」において、ｅＮＢ２００−１は、ｅＮＢ２００−１において未使用のリソースの中から選択したリソース（例えば、固定Ｄ２ＤＵＥ  ＩＤ、Ｃ−ＲＮＴＩ１、Ｄｉｓｃｏｖｅｒｙ情報１）を含む固定Ｄ２ＤＵＥの設定要求をｅＮＢ２００−２に送信してもよい。
【０２２９】
ｅＮＢ２００−２は、受信したリソースと同じリソースを割り当てる場合、固定Ｄ２ＤＵＥの設定要求に対する応答として、了承する旨を示す情報を送信してもよい。この場合、ｅＮＢ２００−１は、ｅＮＢ２００−１とｅＮＢ２００−２とで共通のリソースであることを示す情報（Ｃ−ＲＮＴＩ１、Ｄｉｓｃｏｖｅｒｙ情報１、ｅＮＢ２００−１、ｅＮＢ２００−２）をＵＥ１０１に送信できる。
【０２３０】
一方、ｅＮＢ２００−２は、受信したリソースと異なるリソースを割り当てる場合、固定Ｄ２ＤＵＥの設定要求に対する応答として、了承する旨を示す情報とともに、未使用のリソースの中から選択されたリソースを示す情報（Ｃ−ＲＮＴＩ２、Ｄｉｓｃｏｖｅｒｙ情報２）を送信する。この場合、ｅＮＢ２００−１は、ｅＮＢ２００−１とｅＮＢ２００−２とで異なるリソースであることを示す情報（Ｃ−ＲＮＴＩ１、Ｄｉｓｃｏｖｅｒｙ情報１、ｅＮＢ２００−１／Ｃ−ＲＮＴＩ２、Ｄｉｓｃｏｖｅｒｙ情報２、ｅＮＢ２００−２）をＵＥ１０１に送信できる。
【０２３１】
また、ｅＮＢ２００−２は、リソースに加えて、タイミングアドバンス（ＴＡ）が分かっている固定ＵＥに対して、ＴＡを示す情報もｅＮＢ２００−１を介してＵＥ１０１に送信してもよい。
【０２３２】
また、上述した第２実施形態において、ｅＮＢ２００−１とｅＮＢ２００−２とのそれぞれがＵＥ１０１に割り当てるリソースが重複しないように、ｅＮＢ２００−１が割り当て可能な範囲と、ｅＮＢ２００−２が割り当て可能な範囲と、を予め分けておいてもよい。ｅＮＢ２００−１とｅＮＢ２００−２とは、これらの割り当て可能な範囲を共有してもよい。
【０２３３】
また、ｅＮＢ２００−１とｅＮＢ２００−２との少なくとも一方が、これらの割り当て可能な範囲の少なくとも一方を示す情報を上位のネットワークから受信してもよい。これにより、ｅＮＢ２００−１とｅＮＢ２００−２とは、これらの割り当て可能な範囲を共有できる。
【０２３４】
また、上述した第２実施形態では、固定Ｄ２ＤＵＥ１０１が、発見信号を送信していたが、これに限られない。固定Ｄ２ＤＵＥ１０１は、Ｄ２Ｄ近傍サービスにおける無線信号を送信できる。例えば、固定Ｄ２ＤＵＥ１０１は、Ｄ２Ｄ通信における無線信号を送信（及び／又は受信）してもよく、端末間同期を確立するＤ２Ｄ同期手順において送信される信号であるＤ２Ｄ同期信号を送信してもよい。この場合であっても、ｅＮＢ２００（ｅＮＢ２００−１及びｅＮＢ２００−２）は、上述した第２実施形態における動作と同様の動作を行うことができる。
【０２３５】
また、第１実施形態においても、固定Ｄ２ＤＵＥは、例えば、発見信号によって所定の情報（例えば、広告）を送信してもよいし、Ｄ２Ｄ同期信号を送信してもよい。なお、Ｄ２Ｄ同期信号は、Ｄ２ＤＳＳ及び物理Ｄ２Ｄ同期チャネル（ＰＤ２ＤＳＣＨ）を含む。Ｄ２ＤＳＳは、時間・周波数の同期基準を提供する信号である。ＰＤ２ＤＳＣＨは、Ｄ２ＤＳＳよりも多くの情報を運搬する物理チャネルである。なお、セルカバレッジ外に位置するＵＥ１００は、受信したＤ２Ｄ同期信号に基づいて、Ｄ２Ｄ同期元（固定Ｄ２ＤＵＥ）に同期できる。
【０２３６】
また、上述した第１及び第２実施形態の動作は、適宜組み合わされて実施されてもよい。例えば、ｅＮＢ２００−１は、固定Ｄ２ＤＵＥリストをｅＮＢ２００−２に送信し、ｅＮＢ２００−２は、当該固定Ｄ２ＤＵＥリストに登録され、所定の条件（例えば、広告配信用のＤ２ＤＵＥ）を満たすＵＥ１０１に対して、リソースを割り当ててもよい。
【０２３７】
また、上述した実施形態では、本発明をＬＴＥシステムに適用する一例を説明したが、ＬＴＥシステムに限定されるものではなく、ＬＴＥシステム以外のシステムに本発明を適用してもよい。
【０２３８】
なお、日本国特許出願第２０１３−２４５４７２号（２０１３年１１月２７日出願）の全内容が、参照により、本願明細書に組み込まれている。
【産業上の利用可能性】
【０２３９】
以上のように、本実施形態に係る移通信制御方法及び基地局は、エナジーセービング技術を導入した場合において、ネットワーク効率の低下を抑制できるため、移動通信分野において有用である。
【図１】
2015080080.tif 000003
【図２】
2015080080.tif 000004
【図３】
2015080080.tif 000005
【図４】
2015080080.tif 000006
【図５】
2015080080.tif 000007
【図６】
2015080080.tif 000008
【図７】
2015080080.tif 000009
【図８】
2015080080.tif 000010
【図９】
2015080080.tif 000011
【図１０】
2015080080.tif 000012
【図１１】
2015080080.tif 000013
【図１２】
2015080080.tif 000014
【図１３】
2015080080.tif 000015
【図１４】
2015080080.tif 000016
【図１５】
2015080080.tif 000017
【図１６】
2015080080.tif 000018
【図１７】
2015080080.tif 000019
【図１８】
2015080080.tif 000020
【図１９】
2015080080.tif 000021
【手続補正書】
【提出日】平成28年5月25日(2016.5.25)
【手続補正１】
【補正対象書類名】特許請求の範囲
【補正対象項目名】全文
【補正方法】変更
【補正の内容】
【特許請求の範囲】
【請求項１】
オフ対象セルをオフするオフ対象基地局と、前記オフ対象セルを補完するためのセル拡張を行う拡張対象基地局と、を有する移動通信システムにおいて用いられる通信制御方法であって、
前記オフ対象基地局が、前記オフ対象セルを運用する際に用いられ前記オフ対象基地局が保持するリスト情報を、前記セル拡張が行われる前に前記拡張対象基地局に送信するステップと、
前記拡張対象基地局が、前記リスト情報に基づいて、カバレッジが拡張された拡張対象セルを運用する運用ステップと、を備えることを特徴とする通信制御方法。
【請求項２】
前記リスト情報は、前記オフ対象基地局により前記オフ対象セルのカバレッジ内にてブロードキャスト又はユニキャストされていたリストを示す情報であり、
前記運用ステップは、前記拡張対象基地局が、前記拡張対象セルのカバレッジ内にて前記リスト情報をブロードキャスト又はユニキャストするステップを含むことを特徴とする請求項１に記載の通信制御方法。
【請求項３】
前記拡張対象基地局が、前記運用ステップを終了した後、前記リスト情報を削除する又は前記リスト情報を前記オフ対象基地局に戻すステップをさらに備えることを特徴とする請求項１に記載の通信制御方法。
【請求項４】
前記運用ステップは、前記拡張対象基地局が、前記リスト情報を更新するステップを含み、
前記通信制御方法は、前記拡張対象基地局が、前記運用ステップが終了した後、次のセル拡張のために更新した前記リスト情報を保持するステップをさらに備えることを特徴とする請求項１に記載の通信制御方法。
【請求項５】
前記リスト情報は、前記オフ対象セル内に存在し、位置が固定された固定ノードに関するリストを示す情報であることを特徴とする請求項１に記載の通信制御方法。
【請求項６】
前記運用ステップは、
前記拡張対象基地局が、前記リスト情報に登録されている固定ノードが前記拡張対象セルのカバレッジ内に存在するか否かを確認するステップと、
前記拡張対象基地局が、前記リスト情報に登録され、且つ、前記拡張対象セルのカバレッジ内に存在しない固定ノードの情報を削除するステップと、を含むことを特徴とする請求項５に記載の通信制御方法。
【請求項７】
前記固定ノードは、無線ＬＡＮアクセスポイント、又は、Ｄ２Ｄ近傍サービスを用いて情報を送信する固定型のユーザ端末であることを特徴とする請求項５に記載の通信制御方法。
【請求項８】
前記固定ノードは、移動が制限された固定型のユーザ端末であり、
前記通信制御方法は、
前記オフ対象基地局が、固定型のユーザ端末か否かを判定可能な情報を含む能力情報を、前記オフ対象セルに在圏するユーザ端末から受信するステップと、
前記オフ対象基地局が、前記ユーザ端末から受信した前記能力情報に基づいて、前記ユーザ端末が前記固定型のユーザ端末であるか否かを判定する判定ステップと、
前記オフ対象基地局が、前記判定ステップの判定結果に基づいて、前記固定型のユーザ端末に関するリストを更新するステップと、をさらに備えることを特徴とする請求項５に記載の通信制御方法。
【請求項９】
前記オフ対象基地局が、前記オフ対象セルがオフされるまで前記オフ対象セルに在圏し続け、且つ、前記オフ対象セルのオフ状態が終了した際に前記オフ対象セルにハンドオーバした回数が閾値を超えたユーザ端末を、移動が制限された固定型のユーザ端末であると判定する判定ステップと、
前記オフ対象基地局が、前記判定ステップの判定結果に基づいて、前記固定型のユーザ端末に関するリストを更新するステップと、をさらに備えることを特徴とする請求項５に記載の通信制御方法。
【請求項１０】
前記拡張対象基地局が、前記拡張対象セルが拡張している間に前記拡張対象セルに在圏し続け、且つ、前記拡張対象セルを拡張した際に前記拡張対象セルにハンドオーバした回数が閾値を超えたユーザ端末を、移動が制限された固定型のユーザ端末であると判定する判定ステップをさらに備え、
前記運用ステップにおいて、前記拡張対象基地局が、前記判定ステップの判定結果に基づいて、前記固定型のユーザ端末に関するリストを更新することを特徴とする請求項５に記載の通信制御方法。
【請求項１１】
前記オフ対象基地局が、前記オフ対象セルに在圏するユーザ端末に関するユーザ情報を前記セル拡張が行われる前に送信するステップと、
前記拡張対象基地局が、前記ユーザ情報に基づいて、前記セル拡張が行われた後に用いられる拡張対象セル用リソースを前記ユーザ端末のために確保する確保ステップと、をさらに備えることを特徴とする請求項１に記載の通信制御方法。
【請求項１２】
前記ユーザ端末が、前記オフ対象セルがオフされる前に前記拡張対象セル用リソースを受信するステップと、
前記ユーザ端末が、前記拡張対象セルが拡張した後で、且つ、前記拡張対象セルに在圏している間、前記拡張対象セル用リソースを用いて動作する動作ステップと、をさらに備えることを特徴とする請求項１１に記載の通信制御方法。
【請求項１３】
前記拡張対象セル用リソースは、前記拡張対象セルのカバレッジ内で前記ユーザ端末を識別するために用いられる一時識別子であり、
前記動作ステップにおいて、前記ユーザ端末は、前記拡張対象セルが拡張した後、前記拡張対象セルに在圏した場合、前記拡張対象セルに接続するためのランダムアクセス手続きを省略して、前記一時識別子を用いて動作することを特徴とする請求項１２に記載の通信制御方法。
【請求項１４】
前記拡張対象セル用リソースは、Ｄ２Ｄ近傍サービスにおける相手端末の発見処理に用いられる発見情報であり、
前記動作ステップにおいて、前記ユーザ端末は、前記拡張対象セルが拡張した後、前記拡張対象セルに在圏した場合、前記拡張対象セルに接続せずに、前記発見情報に基づいて、前記発見処理を開始することを特徴とする請求項１２に記載の通信制御方法。
【請求項１５】
前記ユーザ端末が、前記オフ対象セルがオフされる前に前記オフ対象基地局から割り当てられたオフ対象セル用リソースと、前記拡張対象セル用リソースとを対応付けて記憶するステップと、
前記ユーザ端末が、前記拡張対象セルの拡張が終了した後に前記オフ対象セルに再び在圏した場合、前記オフ対象セル用リソースを用いて動作するステップと、をさらに備えることを特徴とする請求項１２に記載の通信制御方法。
【請求項１６】
前記拡張対象セル用リソースは、前記オフ対象セルがオフされる前に前記オフ対象基地局から前記ユーザ端末に割り当てられたオフ対象セル用リソースと共通のリソースであることを特徴とする請求項１１に記載の通信制御方法。
【請求項１７】
前記オフ対象基地局と前記拡張対象基地局とが、前記オフ対象基地局から前記ユーザ端末に割り当てられるオフ対象セル用リソースと、前記拡張対象セル用リソースとが重複しないように、前記オフ対象セル用リソースを割り当て可能な範囲と前記拡張対象セル用リソースを割り当て可能な範囲とを、前記確保ステップの前に予め分けておくステップをさらに備えることを特徴とする請求項１１に記載の通信制御方法。
【請求項１８】
前記オフ対象基地局と前記拡張対象基地局との少なくとも一方が、前記オフ対象セル用リソースを割り当て可能な範囲と前記拡張対象セル用リソースを割り当て可能な範囲との少なくとも一方を示す情報をネットワークから受信するステップをさらに備えることを特徴とする請求項１７に記載の通信制御方法。
【請求項１９】
前記ユーザ端末は、移動が制限された固定型のユーザ端末であることを特徴とする請求項１１に記載の通信制御方法。
【請求項２０】
前記オフ対象基地局が、前記オフ対象基地局を制御する移動管理エンティティに制御される基地局、又は、前記オフ対象基地局と同一のトラッキングエリアに属する基地局を、前記拡張対象基地局として選択するステップをさらに備えることを特徴とする請求項１に記載の通信制御方法。
【請求項２１】
基地局であって、
オフ対象セルを運用する際に用いられ、なお且つ前記基地局が保持するリスト情報を、拡張対象基地局がセル拡張を行う前に前記拡張対象基地局に送信する送信部を備え、
前記リスト情報は、前記拡張対象基地局により、カバレッジが拡張された拡張対象セルを運用する際に用いられることを特徴とする基地局。
【請求項２２】
基地局であって、
オフ対象セルを運用する際に用いられ、なお且つオフ対象基地局が保持するリスト情報を、セル拡張が行われる前に前記オフ対象基地局から受信する受信部と、
前記リスト情報に基づいて、カバレッジが拡張された拡張対象セルを運用する制御部と、を備えることを特徴とする基地局。
【手続補正２】
【補正対象書類名】図面
【補正対象項目名】図８
【補正方法】変更
【補正の内容】
【図８】
2015080080.tif 000022
【国際調査報告】
2015080080.tif 000023
2015080080.tif 000024